(57)【特許請求の範囲】
【請求項１】
経費の申請者を識別する申請者識別子に対応付けられる経費情報であり、経費を使用した日を特定する使用日情報を有する経費情報を受け付ける経費受付部と、
申請者識別子に対応付けられ、当該申請者識別子で識別される申請者が自身の勤務地に入退館した日時を特定する１以上の入退館情報が格納される格納部から、前記経費情報に対応付けられている前記申請者識別子に対応付く入退館情報であり、前記経費情報が有する前記使用日情報が特定する日に対応する入退館情報を取得し、当該入退館情報を用いて、前記経費受付部が受け付けた前記経費情報の不正に関する検査を行い、検査結果を取得する検査部と、
前記検査部が取得した前記検査結果を出力する結果出力部とを具備する経費検査装置。
【請求項２】
前記検査部は、
前記申請者識別子および前記使用日情報に対応する入退館情報が出勤日でない日の情報であるか否かを判断し、前記入退館情報が出勤日でない日を示す情報である場合、「出勤日でない不正な経費」である旨の検査結果を取得する、請求項１記載の経費検査装置。
【請求項３】
前記検査部は、
前記申請者識別子および前記使用日情報に対応する入退館情報が出張を示す情報であるか否かを判断し、出張を示す情報ではない場合、「カラ出張の不正」を示す検査結果を取得する、請求項１記載の経費検査装置。
【請求項４】
前記検査部は、
前記申請者識別子および前記使用日情報に対応する入退館情報から、勤務終了時刻を取得し、当該勤務終了時刻を用いて、宿泊施設への宿泊が認められる否かを判断し、検査結果を取得する、請求項１記載の経費検査装置。
【請求項５】
前記検査部は、
前記勤務終了時刻と、宿泊が認められる残業時刻を示す残業時刻情報とを比較し、予め決められた宿泊条件を満たすか否かを判断し、当該宿泊条件を満たさないと判断した場合、「宿泊費の不正な請求である旨」の検査結果を取得する、請求項４記載の経費検査装置。
【請求項６】
経費の申請者を識別する申請者識別子に対応付けられる経費情報であり、宿泊施設に宿泊した日を特定する使用日情報を含む経費情報を受け付ける経費受付部と、
申請者識別子に対応付けられた２以上の申請者情報であり、申請者識別子で識別される申請者が勤務した日を特定する１以上の勤務日情報と、申請者が勤務した時間帯を特定する勤務時間情報との組を１組以上含む勤怠情報、または勤務地に入退館した日時を特定する１以上の入退館情報を有する２以上の申請者情報が格納される格納部から、前記経費情報に対応付けられている申請者識別子に対応付く勤務日情報または入退館情報であり、前記経費情報が有する使用日情報と一致する勤務日情報と対になる勤務時間情報または前記経費情報が有する使用日情報が示す日と一致する日に対応する入退館情報が有する勤務終了時刻を取得し、前記勤務時間情報または前記勤務終了時刻と、宿泊を許す残業時刻を特定する残業時刻情報とを用いて、前記宿泊施設への宿泊が認められる否かを判断し、検査結果を取得する検査部と、
前記検査部が取得した前記検査結果を出力する結果出力部とを具備する経費検査装置。
【請求項７】
経費受付部と、検査部と、結果出力部とにより実現される、コンピュータを用いた経費検査方法であって、
前記経費受付部が、経費の申請者を識別する申請者識別子に対応付けられる経費情報であり、経費を使用した日を特定する使用日情報を有する経費情報を受け付ける経費受付ステップと、
前記検査部が、申請者識別子に対応付けられ、当該申請者識別子で識別される申請者が自身の勤務地に入退館した日時を特定する１以上の入退館情報が格納される格納部から、前記経費情報に対応付けられている前記申請者識別子に対応付く入退館情報であり、前記経費情報が有する前記使用日情報が特定する日に対応する入退館情報を取得し、当該入退館情報を用いて、前記経費受付部が受け付けた前記経費情報の不正に関する検査を行い、検査結果を取得する検査ステップと、
前記結果出力部が、前記検査ステップで取得された前記検査結果を出力する結果出力ステップとを具備する経費検査方法。
【請求項８】
経費受付部と、検査部と、結果出力部とにより実現される、コンピュータを用いた経費検査方法であって、
前記経費受付部が、経費の申請者を識別する申請者識別子に対応付けられる経費情報であり、宿泊施設に宿泊した日を特定する使用日情報を含む経費情報を受け付ける経費受付ステップと、
前記検査部が、申請者識別子に対応付けられた２以上の申請者情報であり、申請者識別子で識別される申請者が勤務した日を特定する１以上の勤務日情報と、申請者が勤務した時間帯を特定する勤務時間情報との組を１組以上含む勤怠情報、または勤務地に入退館した日時を特定する１以上の入退館情報を有する２以上の申請者情報が格納される格納部から、前記経費情報に対応付けられている申請者識別子に対応付く勤務日情報または入退館情報であり、前記経費情報が有する使用日情報と一致する勤務日情報と対になる勤務時間情報または前記経費情報が有する使用日情報が示す日と一致する日に対応する入退館情報が有する勤務終了時刻を取得し、前記勤務時間情報または前記勤務終了時刻と、宿泊を許す残業時刻を特定する残業時刻情報とを用いて、前記宿泊施設への宿泊が認められる否かを判断し、検査結果を取得する検査ステップと、
前記結果出力部が、前記検査ステップで取得された前記検査結果を出力する結果出力ステップとを具備する経費検査方法。
【請求項９】
コンピュータを、
日を特定する使用日情報を有する経費情報を受け付ける経費受付部と、
申請者識別子に対応付けられ、当該申請者識別子で識別される申請者が自身の勤務地に入退館した日時を特定する１以上の入退館情報が格納される格納部から、前記経費情報に対応付けられている前記申請者識別子に対応付く入退館情報であり、前記経費情報が有する前記使用日情報が特定する日に対応する入退館情報を取得し、当該入退館情報を用いて、前記経費受付部が受け付けた前記経費情報の不正に関する検査を行い、検査結果を取得する検査部と、
前記検査部が取得した前記検査結果を出力する結果出力部として機能させるためのプログラム。
【請求項１０】
コンピュータを、
経費の申請者を識別する申請者識別子に対応付けられる経費情報であり、宿泊施設に宿泊した日を特定する使用日情報を含む経費情報を受け付ける経費受付部と、
申請者識別子に対応付けられた２以上の申請者情報であり、申請者識別子で識別される申請者が勤務した日を特定する１以上の勤務日情報と、申請者が勤務した時間帯を特定する勤務時間情報との組を１組以上含む勤怠情報、または勤務地に入退館した日時を特定する１以上の入退館情報を有する２以上の申請者情報が格納される格納部から、前記経費情報に対応付けられている申請者識別子に対応付く勤務日情報または入退館情報であり、前記経費情報が有する使用日情報と一致する勤務日情報と対になる勤務時間情報または前記経費情報が有する使用日情報が示す日と一致する日に対応する入退館情報が有する勤務終了時刻を取得し、前記勤務時間情報または前記勤務終了時刻と、宿泊を許す残業時刻を特定する残業時刻情報とを用いて、前記宿泊施設への宿泊が認められる否かを判断し、検査結果を取得する検査部と、
前記検査部が取得した前記検査結果を出力する結果出力部として機能させるためのプログラム。
【発明の詳細な説明】
【技術分野】
【０００１】
本発明は、申請された経費情報の不正に関する検査を行い、検査結果を出力する経費検査装置等に関するものである。
【背景技術】
【０００２】
従来、取引データの客観性や整合性が企業間、企業?個人間等又は社会的にチェックできる会計システムが存在した（特許文献１参照）。
【先行技術文献】
【特許文献】
【０００３】
【特許文献１】特開２０１７−９７６６９号公報
【発明の概要】
【発明が解決しようとする課題】
【０００４】
しかしながら、従来技術においては、不適切な経費申請に対して、検査が適切に行えなかった。
【課題を解決するための手段】
【０００５】
本第一の発明の経費検査装置は、経費の申請の内容を特定する経費情報を受け付ける経費受付部と、経費情報以外の外部情報、または経費受付部が受け付けた経費情報以外の経費情報を用いて、経費受付部が受け付けた経費情報の不正に関する検査を行い、検査結果を取得する検査部と、検査部が取得した検査結果を出力する結果出力部とを具備する経費検査装置である。
【０００６】
かかる構成により、外部情報または申請された経費情報以外の経費情報を用いることにより、不適切な経費申請に対して、検査が適切に行える。
【０００７】
また、本第二の発明の経費検査装置は、第一の発明に対して、経費受付部は、経費の申請者を識別する申請者識別子に対応付けて、経費情報を受け付け、外部情報は、２以上の各申請者に対応する情報であり、申請者識別子に対応付けられた２以上の申請者情報を含む申請者集合を有し、検査部は、経費受付部が受け付けた経費情報に対応付けられている申請者識別子に対応付く申請者情報を申請者集合から取得し、申請者情報を用いて、経費受付部が受け付けた経費情報の不正に関する検査を行い、検査結果を取得する経費検査装置である。
【０００８】
かかる構成により、申請者情報を用いることにより、不適切な経費申請に対して、検査が適切に行える。
【０００９】
また、本第三の発明の経費検査装置は、第二の発明に対して、経費情報は、経費を使用した日を特定する使用日情報を有し、申請者情報は、申請者識別子で識別される申請者が勤務した日を特定する勤務日情報を含む１以上の勤怠情報を有し、検査部は、経費情報に対応付けられている申請者識別子に対応付く勤怠情報であり、使用日情報と同一の勤務日情報を含む勤怠情報を用いて、経費受付部が受け付けた経費情報の不正に関する検査を行い、検査結果を取得する経費検査装置である。
【００１０】
かかる構成により、申請者の勤怠情報を用いることにより、不適切な経費申請に対して、検査が適切に行える。
【００１１】
また、本第四の発明の経費検査装置は、第二の発明に対して、経費情報は、経費を使用した日を特定する使用日情報を有し、申請者情報は、申請者識別子で識別される申請者が自身の勤務地に入退館した日時を特定する１以上の入退館情報を有し、検査部は、経費情報に対応付けられている申請者識別子に対応付く入退館情報であり、経費情報が有する使用日情報が特定する日に対応する入退館情報を用いて、経費受付部が受け付けた経費情報の不正に関する検査を行い、検査結果を取得する経費検査装置である。
【００１２】
かかる構成により、申請者の入退館情報を用いることにより、不適切な経費申請に対して、検査が適切に行える。
【００１３】
また、本第五の発明の経費検査装置は、第二の発明に対して、経費情報は、経費を使用した日を特定する使用日情報を有し、申請者情報は、申請者の営業活動の日を特定する営業日情報と訪問した地点を特定する１以上の地点識別子とを含む営業活動情報を有し、検査部は、経費受付部が受け付けた経費情報に対応付けられている申請者識別子に対応付く営業活動情報であり、経費情報が有する使用日情報と同一の営業日情報を有する営業活動情報が有する１以上の地点識別子を用いて、経費受付部が受け付けた経費情報の不正に関する検査を行い、検査結果を取得する経費検査装置である。
【００１４】
かかる構成により、申請者の営業活動情報を用いることにより、不適切な経費申請に対して、検査が適切に行える。
【００１５】
また、本第六の発明の経費検査装置は、第二の発明に対して、経費情報は、経費を使用した日を特定する使用日情報を有し、申請者情報は、申請者が使用したクレジットカードの明細を示す情報であり、クレジットカードを使用した日である使用日情報を含む情報であるカード明細情報を有し、検査部は、経費受付部が受け付けた経費情報に対応付けられている申請者識別子に対応付くカード明細情報であり、経費情報が有する使用日情報と同一の使用日情報を有するカード明細情報を用いて、経費受付部が受け付けた経費情報の不正に関する検査を行い、検査結果を取得する経費検査装置である。
【００１６】
かかる構成により、申請者のクレジットカード明細情報を用いることにより、不適切な経費申請に対して、検査が適切に行える。
【００１７】
また、本第七の発明の経費検査装置は、第二の発明に対して、経費情報は、経費を使用した日を特定する使用日情報を有し、申請者情報は、申請者が使用した営業車の位置を特定する１以上の営業車位置情報であり、営業車を使用した日を特定する使用日情報に対応付けられている１以上の営業車位置情報を有し、検査部は、経費受付部が受け付けた経費情報に対応付けられている申請者識別子に対応付く１以上の営業車位置情報であり、経費情報が有する使用日情報と同一の使用日情報に対応付けられている１以上の営業車位置情報を取得し、営業車位置情報を用いて、経費情報の不正に関する検査を行い、検査結果を取得する経費検査装置である。
【００１８】
かかる構成により、申請者の営業車位置情報を用いることにより、不適切な経費申請に対して、検査が適切に行える。
【００１９】
また、本第八の発明の経費検査装置は、第二の発明に対して、経費情報は、経費の種類を示す経費種類識別子に対応付き、申請者情報は、申請者が所有するカードに関する所有カード情報を有し、カードでの支払いを予定されている１以上の経費種類識別子が格納されるカード利用経費格納部をさらに具備し、検査部は、経費受付部が受け付けた経費情報に対応付く経費種類識別子が、経費受付部が受け付けた経費情報に対応付けられている申請者識別子に対応付く所有カード情報に対応する経費種類識別子として、カード利用経費格納部に格納されているか否か検査し、検査結果を取得する経費検査装置である。
【００２０】
かかる構成により、申請者が所有するカードの情報を用いることにより、不適切な経費申請に対して、検査が適切に行える。
【００２１】
また、本第九の発明の経費検査装置は、第一の発明に対して、外部情報は、申請者が属する企業の規定に関する会社規定情報を含み、検査部は、会社規定情報を用いて、経費受付部が受け付けた経費情報が会社規定に合致するか否かの検査を行い、検査結果を取得する経費検査装置である。
【００２２】
かかる構成により、会社規定情報を用いることにより、不適切な経費申請に対して、検査が適切に行える。
【００２３】
また、本第十の発明の経費検査装置は、第一の発明に対して、経費情報は、経費が発生した日を特定する使用日情報と、出発識別子と到着識別子と料金情報とを有する１以上の区間情報を有する交通費情報を有し、外部情報は、交通費の算出のための算出情報を含む移動手段情報を含み、検査部は、経費受付部が受け付けた経費情報と、移動手段情報とを用いて、交通費の不正に関する検査を行い、検査結果を取得する経費検査装置である。
【００２４】
かかる構成により、移動手段情報を用いることにより、不適切な経費申請に対して、検査が適切に行える。
【００２５】
また、本第十一の発明の経費検査装置は、第一の発明に対して、外部情報は、店舗を識別する店舗識別子を有する１以上の店舗情報である店舗集合を有し、経費情報は、経費を支出した店舗を識別する店舗識別子を有し、検査部は、経費受付部が受け付けた経費情報が有する店舗識別子と店舗集合が有する店舗情報とを用いて、経費情報の不正に関する検査を行い、検査結果を取得する経費検査装置である。
【００２６】
かかる構成により、店舗集合を用いることにより、不適切な経費申請に対して、検査が適切に行える。
【００２７】
また、本第十二の発明の経費検査装置は、第十一の発明に対して、店舗情報は、金額情報を有し、経費情報は、支出した金額を特定する支出金額情報を有し、検査部は、経費受付部が受け付けた経費情報が有する店舗識別子と対になる金額情報と、経費情報が有する支出金額情報とを用いて、経費情報の不正に関する検査を行い、検査結果を取得する経費検査装置である。
【００２８】
かかる構成により、店舗における不適切な支出の検知が適切に行える。
【００２９】
また、本第十三の発明の経費検査装置は、第一の発明に対して、経費情報は、経費を使用した相手先を特定する相手先識別子を有し、外部情報は、経費の使用の相手先の候補に関する１以上の相手先情報を有し、検査部は、経費受付部が受け付けた経費情報が有する相手先識別子と外部情報が有する１以上の相手先情報とを用いて、経費情報の不正に関する検査を行い、検査結果を取得する経費検査装置である。
【００３０】
かかる構成により、不適切な相手に対する不適切な支出の検知が適切に行える。
【００３１】
また、本第十四の発明の経費検査装置は、第一の発明に対して、経費情報は、出張費を示す経費種類識別子と使用日情報とを有し、外部情報は、勤務日情報を含む１以上の勤怠情報、入退館した日時を特定する１以上の入退館情報のうちの１以上を有し、検査部は、経費受付部が受け付けた経費情報に対応付けられている申請者識別子および使用日情報に対応付く、勤怠情報または入退館情報を取得し、勤怠情報または入退館情報を用いて、出張費の不正に関する検査を行い、検査結果を取得する経費検査装置である。
【００３２】
かかる構成により、不適切な出張費の検知が適切に行える。
【００３３】
また、本第十五の発明の経費検査装置は、第一の発明に対して、経費情報は、経費が発生した日を特定する使用日情報と、出発識別子と到着識別子と料金情報とを有する１以上の区間情報を有する交通費情報を有し、外部情報は、交通費の算出のための算出情報を含む移動手段情報、または１以上の申請者情報を有する申請者集合であり、申請者情報は、申請者の定期の区間を特定する定期区間情報、または申請者の営業活動の日を特定する営業日情報と訪問した地点を特定する１以上の地点識別子とを含む営業活動情報を有し、検査部は、経費受付部が受け付けた交通費に関する経費情報に対応付けられている申請者識別子に対応付く申請者情報を取得し、申請者情報、または申請者情報と移動手段情報を用いて、交通費の請求に関する不正に関する検査を行い、検査結果を取得する経費検査装置である。
【００３４】
かかる構成により、不適切な交通費の検知が適切に行える。
【００３５】
また、本第十六の発明の経費検査装置は、第一の発明に対して、検査部は、経費受付部が受け付けた経費情報と、経費情報に対応付けられている申請者識別子と同一の申請者識別子に対応付けられて経費情報格納部に格納されている過去の１以上のいずれかの経費情報とが、予め決められた条件を満たすほど近似するか否かを判断し、検査結果を取得する経費検査装置である。
【００３６】
かかる構成により、二重申請、領収書の使い回し等の検知が適切に行える。
【００３７】
また、本第十七の発明の経費検査装置は、第二の発明に対して、経費情報は、宿泊施設に宿泊した日を特定する使用日情報を含み、申請者情報は、申請者が勤務した日を特定する１以上の勤務日情報と、申請者が勤務した時間帯を特定する勤務時間情報との組を１組以上含む勤怠情報、または勤務地に入退館した日時を特定する１以上の入退館情報を有し、外部情報は、宿泊を許す残業時刻を特定する残業時刻情報を有する会社規定情報を含み、検査部は、経費情報に対応付けられている申請者識別子に対応付く勤務日情報または入退館情報であり、経費情報が有する使用日情報と一致する勤務日情報と対になる勤務時間情報または入退館情報が有する勤務終了時刻を取得し、勤務時間情報または勤務終了時刻と、残業時刻情報とを用いて、宿泊施設への宿泊が認められる否かを判断し、検査結果を取得する経費検査装置である。
【００３８】
かかる構成により、不正な宿泊費の申請の検知が適切に行える。
【００３９】
また、本第十八の発明の経費検査装置は、第一の発明に対して、経費情報は、申請者識別子に対応付けられており、かつ経費を使用した日を特定する使用日情報を含み、かつ経費を支出した店舗を識別する店舗識別子を有し、検査部は、一の申請者識別子に対応付く２以上の経費情報を検査し、同一の使用日情報を有する経費情報の数が予め決められた条件を満たすほど多いか否かを判断し、検査結果を取得する経費検査装置である。
【００４０】
かかる構成により、不正な二次会の経費の申請の検知が適切に行える。
【００４１】
また、本第十九の発明の経費検査装置は、第一の発明に対して、申請者識別子に対応付く２以上の経費情報が格納される経費情報格納部に格納されている２以上の経費情報に基づいた統計処理を行い、統計処理結果を取得する統計処理部をさらに具備し、検査部は、統計処理結果が予め決められた条件を満たすか否かを検査し、検査結果を取得する経費検査装置である。
【００４２】
かかる構成により、２以上の経費情報に基づいた統計処理結果を用いることにより、不適切な経費申請に関する検査が適切に行える。
【００４３】
また、本第二十の発明の経費検査装置は、第十九の発明に対して、経費情報は、経費を支出した店舗を識別する店舗識別子を有し、統計処理部は、経費情報格納部に格納されている２以上の経費情報であり、一の申請者識別子に対応付く２以上の経費情報に含まれる店舗識別子を用いて、店舗識別子により識別される店舗の利用頻度に関する店舗頻度情報を取得し、検査部は、統計処理部が取得した店舗頻度情報が予め決められた条件を満たすか否かを検査し、検査結果を取得する経費検査装置である。
【００４４】
かかる構成により、特定店舗の使用頻度が高いことを検知できる。
【００４５】
また、本第二十一の発明の経費検査装置は、第十九の発明に対して、経費情報は、経費を支出した相手先を識別する相手先識別子を有し、統計処理部は、経費情報格納部に格納されている２以上の経費情報であり、一の申請者識別子に対応付く２以上の経費情報に含まれる相手先識別子を用いて、相手先識別子により識別される相手先に対する支出の頻度に関する接待頻度情報を取得し、検査部は、統計処理部が取得した接待頻度情報が予め決められた条件を満たすか否かを検査し、検査結果を取得する経費検査装置である。
【００４６】
かかる構成により、特定相手先に対応する支出の頻度が高いことを検知できる。
【００４７】
また、本第二十二の発明の経費検査装置は、第十九の発明に対して、統計処理部は、一の申請者識別子に対応する経費情報に対する審査結果であり、不正であることに対応する審査結果を取得した回数である不正回数を、一の申請者識別子に対応付けて取得し、さらに具備し、検査部は、統計処理部が取得した不正回数が予め決められた条件を満たすか否かを検査し、検査結果を取得する経費検査装置である。
【００４８】
かかる構成により、特定の者の不正が多いことを検知できる。
【００４９】
また、本第二十三の発明の経費検査装置は、第十一の発明に対して、会社規定情報は、経費の承認者となり得ることを特定する承認者情報を有し、経費情報は、経費の承認者を識別する承認者識別子を有し、検査部は、承認者識別子で識別される承認者が、承認者情報により特定される承認者であるか否かを検査し、検査結果を取得する経費検査装置である。
【００５０】
かかる構成により、経費申請に対する承認者が要件を満たしていないことを検知できる。
【００５１】
また、本第二十四の発明の経費検査装置は、第一の発明に対して、申請者情報は、申請者識別子で識別される申請者が勤務した日を特定する勤務日情報を含む１以上の勤怠情報、申請者識別子で識別される申請者が自身の勤務地に入退館した日時を特定する１以上の入退館情報、申請者の営業活動の日を特定する営業日情報と訪問した地点を特定する１以上の地点識別子とを有する１以上の営業活動情報、申請者が使用した営業車の位置を特定する１以上の営業車位置情報であり、営業車を使用した日を特定する使用日情報に対応付けられている１以上の営業車位置情報のいずれかを有し、検査部は、一の申請者識別子に対応する申請者情報を用いて、申請者情報に対応する経費情報が、一の申請者識別子に対応付けられている１以上の経費情報が格納されている経費情報格納部に存在するか否かを判断し、申請者情報に対応する経費の申請が行われているか否かの申請の漏れの検査を行い、検査結果を取得する経費検査装置である。
【００５２】
かかる構成により、経費の申請漏れを検知できる。
【００５３】
また、本第二十五の発明の経費検査装置は、第一から第二十四いずれか１つの発明に対して、経費情報は、領収書画像を有し、検査部は、領収書画像を検査し、画像検査結果を取得する画像検査手段を具備し、結果出力部は、画像検査結果を出力する経費検査装置である。
【００５４】
かかる構成により、領収書画像の適切な検査が行える。
【００５５】
また、本第二十六の発明の経費検査装置は、第二十五の発明に対して、画像検査手段は、領収書画像から１以上の文字列を取得し、１以上の各文字列が予め決められた条件を満たすか否かを判断し、画像検査結果を取得する経費検査装置である。
【００５６】
かかる構成により、領収書画像の記載事項の適切な検査が行える。
【００５７】
また、本第二十七の発明の経費検査装置は、第二十六の発明に対して、領収書画像は、タイムスタンプを有し、画像検査手段は、領収書画像が有するタイムスタンプを取得し、領収書画像に対応する領収書発行日を取得し、タイムスタンプで特定される日付が、領収書発行日に対して、予め決められた以上の期間が経過しているか否かを判断し、画像検査結果を取得する経費検査装置である。
【００５８】
かかる構成により、領収書画像のタイムスタンプの不備の検査が行える。
【００５９】
また、本第二十八の発明の経費検査装置は、第二十五の発明に対して、画像検査手段は、文字認識技術を用いて、経費受付部が受け付けた領収書画像から１以上の文字列とともに、文字認識のスコアを取得し、スコアが予め決められた条件を満たすほど低い場合に、領収書画像が不鮮明であると判断する第一不鮮明処理、または不鮮明な１以上の領収書画像と鮮明な１以上の領収書画像とを機械学習のアルゴリズムにより、領収書画像を入力として領収書画像が不鮮明であるか鮮明であるかの判断結果を取得する学習器と、経費受付部が受け付けた領収書画像とを用いて、機械学習のアルゴリズムにより判断結果を取得する第二不鮮明処理のうちのいずれかの処理を行うことにより、画像検査結果を取得する経費検査装置である。
【００６０】
かかる構成により、不鮮明な領収書画像の検査が行える。
【００６１】
また、本第二十九の発明の経費検査装置は、第二十五の発明に対して、外部情報は、申請者が属する企業の規定に関する会社規定情報を含み、会社規定情報は、許容されない決済手段を特定する決済手段情報を有し、画像検査手段は、領収書画像から文字列である決済手段情報を取得し、決済手段情報が、会社規定情報が有する決済手段情報であるか否かを検査し、画像検査結果を取得する経費検査装置である。
【００６２】
かかる構成により、不適切な決済手段の検査が行える。
【００６３】
また、本第三十の発明の経費検査装置は、第二十五の発明に対して、画像検査手段は、手書きにより金額が偽装された１以上の領収書画像と偽装されていない１以上の領収書画像とを機械学習のアルゴリズムにより、領収書画像を入力として金額が偽装されたか否かの判断結果を取得する学習器と、経費受付部が受け付けた領収書画像とを用いて、機械学習のアルゴリズムにより予測処理を行い、領収書画像に記載されている金額が、手書きにより偽装されたか否かを示す画像検査結果を取得する経費検査装置である。
【００６４】
かかる構成により、手書きによる金額の偽装の検査が行える。
【００６５】
また、本第三十一の発明の経費検査装置は、第一から第三十の発明に対して、外部情報、または経費情報は、組織を識別する組織識別子に対応付いており、経費受付部は、経費管理装置から、組織識別子に対応付けられた前記経費情報を受信し、検査部は、組織識別子に対応付けられた外部情報、または経費受付部が受信した経費情報以外の経費情報であり、組織識別子に対応付けられた経費情報を用いて、経費受付部が受信した経費情報の不正に関する検査を行い、検査結果を取得し、結果出力部は、検査部が取得した前記検査結果を前記経費管理装置に送信する経費検査装置である。なお、ここで、経費受付部は、２以上の各経費管理装置から、組織識別子に対応付けられた経費情報を受信することは好適である。
【００６６】
かかる構成により、経費管理装置に対して、経費申請の検査機能を提供できる。
【発明の効果】
【００６７】
本発明による経費検査装置によれば、不適切な経費申請に対して、検査が適切に行える。
【図面の簡単な説明】
【００６８】
【図１】実施の形態１における情報システムＡの概念図
【図２】同情報システムＡのブロック図
【図３】同情報システムＡを構成する経費検査装置１のブロック図
【図４】同経費検査装置１の動作例について説明するフローチャート
【図５】同検査処理の例について説明するフローチャート
【図６】同統計検査処理の例について説明するフローチャート
【図７】同漏れ検査の処理例について説明するフローチャート
【図８】同出力例を示す図
【図９】同出力例を示す図
【図１０】同経費検査装置１を含む他のシステムのブロック図
【図１１】同コンピュータシステムの概観図
【図１２】同コンピュータシステムのブロック図
【発明を実施するための形態】
【００６９】
以下、経費検査装置等の実施形態について図面を参照して説明する。なお、実施の形態において同じ符号を付した構成要素は同様の動作を行うので、再度の説明を省略する場合がある。
【００７０】
（実施の形態１）
本実施の形態において、経費情報を受け付け、外部情報または過去に申請された経費情報を用いて、不正に関する検査を行い、検査結果を出力する経費検査装置を含む情報システムについて説明する。なお、外部情報は、経費情報以外の情報であり、例えば、後述する申請者集合、後述する会社規定情報、後述する飲食店集合、後述する風俗店集合、後述する相手先集合、後述するカード利用経費情報、後述する移動手段情報を含む。また、不正の検査の対象は、例えば、出張費、交通費、二重申請、領収書の使い回しの検査、宿泊費、二次会の支出である。
【００７１】
また、本実施の形態において、２以上の経費情報に対応する情報を用いた統計処理結果を用いて、不正に関する検査を行い、検査結果を出力する経費検査装置を含む情報システムについて説明する。統計処理結果は、例えば、特定店舗の使用頻度、特定相手先への利益の供与の頻度、特定の者の不正の回数である。
【００７２】
また、本実施の形態において、経費申請の承認者が要件を満たすか否かを検査する経費検査装置を含む情報システムについて説明する。
【００７３】
また、本実施の形態において、領収書画像を検査する経費検査装置を含む情報システムについて説明する。なお、領収書画像の検査は、例えば、領収書画像の記載事項の不備の検査、領収書画像のタイムスタンプの不備の検査、領収書画像が不鮮明であることの検査、領収書画像に記載されている不適切な決済手段の検査、領収書画像の手書き金額の偽装の検査である。
【００７４】
さらに、本実施の形態において、外部情報を用いて、申請されるべき経費の申請漏れを検知する経費検査装置を含む情報システムについて説明する。
【００７５】
図１は、本実施の形態における情報システムＡの概念図である。情報システムＡは、経費検査装置１、および１または２以上の申請者端末２、および１または２以上の外部サーバ３を備える。
【００７６】
経費検査装置１は、申請された経費情報に対する検査を行う装置である。経費検査装置１は、通常、いわゆるサーバであり、例えば、クラウドサーバ、ＡＳＰサーバ等である。なお、経費検査装置１の種類は問わない。
【００７７】
申請者端末２は、申請者が使用する端末である。申請者は、経費の申請を行うユーザである。申請者端末２は、例えば、いわゆるパーソナルコンピュータ、タブレット端末、スマートフォン等であり、その種類は問わない。
【００７８】
外部サーバ３は、後述する外部情報を格納しており、外部情報を経費検査装置１に提供する装置である。なお、後述する外部情報の全てまたは一部は、経費検査装置１に存在しても良い。また、後述する外部情報の全てが経費検査装置１に存在する場合、外部サーバ３は不要である。外部サーバ３は、通常、いわゆるサーバであり、例えば、クラウドサーバ、ＡＳＰサーバ等である。なお、外部サーバ３の種類は問わない。
【００７９】
経費検査装置１、申請者端末２、および外部サーバ３は、通常、インターネット、専用回線等のネットワークにより、相互に通信可能である。
【００８０】
図２は、本実施の形態における情報システムＡのブロック図である。図３は、情報システムＡを構成する経費検査装置１のブロック図である。
【００８１】
経費検査装置１は、格納部１１、受付部１２、処理部１３、および出力部１４を備える。格納部１１は、例えば、経費情報格納部１１１、申請者集合格納部１１２、会社規定情報格納部１１３、飲食店集合格納部１１４、風俗店集合格納部１１５、相手先集合格納部１１６、カード利用経費格納部１１７、および移動手段情報格納部１１８を備える。申請者集合格納部１１２は、個人情報格納部１１２１、勤怠情報格納部１１２２、入退館情報格納部１１２３、営業活動情報格納部１１２４、カード明細情報格納部１１２５、および営業車位置情報格納部１１２６を備える。移動手段情報格納部１１８は、算出情報格納部１１８１、および地図情報格納部１１８２を備える。受付部１２は、経費受付部１２１を備える。処理部１３は、検査部１３１、および統計処理部１３２を備える。検査部１３１は、画像検査手段１３１１を備える。出力部１４は、結果出力部１４１を備える。
【００８２】
申請者端末２は、第一格納部２１、第一受付部２２、第一処理部２３、第一送信部２４、第一受信部２５、第一出力部２６を備える。
【００８３】
経費検査装置１における経費情報格納部１１１、申請者集合格納部１１２、会社規定情報格納部１１３、飲食店集合格納部１１４、風俗店集合格納部１１５、相手先集合格納部１１６、カード利用経費格納部１１７、および移動手段情報格納部１１８は、外部の他の装置に存在しても良い。
【００８４】
外部サーバ３は、飲食店集合格納部１１４、風俗店集合格納部１１５、相手先集合格納部１１６、カード利用経費格納部１１７、および移動手段情報格納部１１８のいずれかを格納していることは好適である。
【００８５】
なお、検査部１３１は、格納部１１の各種の情報を用いて、後述する検査の処理を行っても良いし、外部サーバ３に格納されている各種の情報または外部サーバ３から送信された情報を用いて、後述する検査の処理を行っても良い。
【００８６】
外部サーバ３は、例えば、出発駅を識別する情報（後述する出発識別子の一例）と到着駅を識別する情報（後述する到着識別子の一例）とを含む問合せを受信し、１以上の交通費を出力するサーバである。かかる外部サーバ３は、後述する運賃算出情報を格納する算出情報格納部１１８１を有する。また、かかる外部サーバ３は、ジョルダン（登録商標）のサーバ（ＵＲＬ「https://www.jorudan.co.jp/」）、ＮＡＶＩＴＩＭＥ（登録商標）のサーバ（ＵＲＬ「https://www.navitime.co.jp/」）である。
【００８７】
外部サーバ３は、例えば、出発識別子と到着識別子とを含む問合せを受信し、タクシー料金を出力するサーバである。かかる外部サーバ３は、後述するタクシー料金算出情報を格納する算出情報格納部１１８１、地図情報格納部１１８２を有する。また、かかる外部サーバ３は、ｔａｘｉｓｉｔｅのサーバ（ＵＲＬ「https://www.taxisite.com/far/」）である。
【００８８】
格納部１１には、各種の情報が格納される。各種の情報とは、例えば、後述する経費情報格、後述する外部情報である。
【００８９】
経費情報格納部１１１には、経費情報が格納される。経費情報格納部１１１には、通常、２以上の経費情報が格納される。経費情報とは、申請された経費の内容を特定する情報である。経費情報は、例えば、支出金額情報、宛先識別子、店舗識別子、相手先識別子、使用日情報、支払手段識別子、科目、摘要、承認者識別子を有する。支出金額情報は、経費として使った金額を特定する情報である。宛先識別子は、領収書の宛先を示す情報であり、金額を支払う企業等を識別する情報である。店舗識別子は、経費を使用した店舗を識別する情報である。店舗識別子は、例えば、店舗名、店舗ＩＤ、店舗のＵＲＬ、店舗の電話番号である。相手先識別子は、経費を使用した相手先を特定する情報である。相手先識別子は、接待または手土産等の利益を供与した相手を識別する情報である。相手先識別子は、例えば、組織名（例えば、会社名、団体名）と氏名、相手先のＩＤである。使用日情報は、経費を使用した日を特定する情報である。支払手段識別子は、支払手段を識別する情報である。支払手段識別子は、例えば、「現金」「クレジットカード」「電子マネー」「○○ＰＡＹ」等である。科目は、経費の分類を特定する情報である。科目は、経費種類識別子と言っても良い。科目は、例えば、出張費、旅費交通費（または、交通費）、宿泊費、出張旅費、接待交際費、会議費である。承認者識別子は、経費の承認者を識別する情報である。承認者識別子は、例えば、申請者識別子、役職識別子である。申請者識別子は、経費を申請した申請者を識別する情報であり、例えば、氏名、ＩＤである。役職識別子は、役職を識別する情報であり、例えば、役職名（例えば、「部長」「所長」）、ＩＤである。経費情報格納部１１１の経費情報は、通常、申請者識別子に対応付いている。
【００９０】
経費情報が交通費の経費の情報である場合、当該経費情報は、例えば、使用日情報と、出発識別子と到着識別子と料金情報とを有する１以上の区間情報を有する交通費情報を有する。当該経費情報は、交通費を示す経費種類識別子を有することは好適である。経費情報が出張費の経費の情報である場合、当該経費情報は、例えば、使用日情報を有する。当該経費情報は、出張費を示す経費種類識別子を有することは好適である。経費情報が宿泊費の経費の情報である場合、当該経費情報は、例えば、宿泊施設に宿泊した日を特定する使用日情報を含む。経費情報が接待交際費、会議費である場合、当該経費情報は、例えば、申請者識別子に対応付けられており、かつ使用日情報と経費を支出した店舗を識別する店舗識別子を有する。
【００９１】
経費情報は、領収書画像を有しても良い。領収書画像は、領収書の画像である。領収書画像は、例えば、領収書を撮影して得られた画像である。領収書画像は、ＪＰＥＧ、ＧＩＦ等、そのデータ構造は問わないことは言うまでもない。
【００９２】
経費情報は、例えば、参加者情報、人数情報を有する。参加者情報は、経費の使用に参加した者（例えば、飲食した者）を特定する情報（例えば、氏名）である。人数情報は、経費の使用に参加した人数である。
【００９３】
申請者集合格納部１１２には、申請者集合が格納される。申請者集合は、各申請者に対応する各申請者独自の情報である。申請者集合は、例えば、後述する個人情報の集合、後述する勤怠情報の集合、後述する入退館情報の集合、後述する営業活動情報の集合、後述するカード明細情報の集合、または後述する営業車位置情報の集合である。
【００９４】
個人情報格納部１１２１には、１または２以上の個人情報が格納される。個人情報は、申請者に関する情報である。個人情報には、申請者識別子が対応付いている。個人情報は、例えば、申請者の氏名、所属企業名、所属企業ＩＤ，所属部署名、所属部署ＩＤ、役職を識別する役職識別子、申請者の定期の区間を特定する定期区間情報、不正回数、メールアドレスを有する。不正回数は、申請者が不正な経費申請を行った回数、または申請者の不正について検知された回数である。メールアドレスは、情報を送信する先を特定する情報であれば良く、ＳＮＳのＩＤ等でも良く、広く解する。
【００９５】
なお、２つの情報が対応付いていることは、一の情報から他の情報を取得できれば良く、例えば、一の情報と他の情報とがリンク付いていること、一の情報と他の情報とが同一のバッファに格納されていること、一の情報が他の情報を含むこと等である。
【００９６】
勤怠情報格納部１１２２には、１または２以上の勤怠情報が格納される。勤怠情報は、申請者の勤怠に関する情報である。勤怠情報は、通常、申請者識別子に対応付いている。勤怠情報は、勤務日情報を含む。勤務日情報は、対応する申請者識別子で識別される申請者が勤務した日を特定するための情報である。勤務日情報は、通常、勤務日を示す情報であるが、非勤務日を示す情報でも良い。勤務日情報が非勤務日を示す情報である場合、勤務日情報が示す日以外の日が勤務日である。勤怠情報は、通常、勤務した時間を特定する勤務時間情報を有する。勤務時間情報は、例えば、勤務開始時刻、勤務終了時刻を有する。勤怠情報格納部１１２２の中の勤怠情報は、例えば、一の外部サーバ３（勤怠管理サーバ）から受信された情報である。勤怠管理サーバ（勤怠管理システム）は、従業員の勤怠を管理するサーバであり、公知技術に係る装置であるので、詳細な説明は省略する。
【００９７】
入退館情報格納部１１２３には、１または２以上の入退館情報が格納される。入退館情報は、申請者の入退館に関する情報である。入退館とは、申請者の勤務場所（勤務地と言っても良い）への入館および勤務場所からの退館である。また、入館は、勤務日における勤務開始のための出社、退館は、勤務日における勤務終了後の退社と言っても良い。入退館情報は、通常、申請者識別子に対応付いている。入退館情報は、例えば、勤務日情報、勤務時間情報を有する。勤務時間情報は、例えば、勤務開始時刻、勤務終了時刻を有する。勤務時間情報は、例えば、勤務した時間を特定する情報を有する。入退館情報は、タイムカードの打刻、入退館システムに対する出社または退社の入力により、構成される情報である。なお、入退館情報は、勤怠情報と同じでも良い。入退館情報格納部１１２３の中の入退館情報は、例えば、一の外部サーバ３（入退館管理サーバ）から受信された情報である。入退館管理サーバ（入退館管理システム）は、公知技術に係る装置であるので、詳細な説明は省略する。
【００９８】
営業活動情報格納部１１２４には、１または２以上の営業活動情報が格納される。営業活動情報は、営業活動に関する情報である。営業活動情報は、例えば、営業日報の情報である。営業活動情報は、通常、申請者識別子に対応付いている。営業活動情報は、営業日情報と１以上の地点識別子とを含む。営業活動情報は、営業活動の内容を示す文字列等を有しても良い。営業日情報は、申請者の営業活動の日を特定する情報である。地点識別子は、訪問した地点を特定する情報である。地点識別子は、例えば、（緯度、経度）、会社名、地点名、地名、駅名、バス停名等である。営業活動情報のデータ構造は問わない。
【００９９】
カード明細情報格納部１１２５には、１または２以上のカード明細情報が格納される。カード明細情報は、申請者が使用したクレジットカードの明細を示す情報である。カード明細情報は、通常、申請者識別子に対応付いている。カード明細情報は、例えば、使用日情報、支払先を識別する支払先識別子（例えば、店舗識別子）、金額情報、カード識別子を有する。カード識別子は、カードを識別する情報であり、例えば、カード番号である。カード明細情報格納部１１２５の中のカード明細情報は、例えば、一の外部サーバ３（カード管理会社サーバ）から受信された情報である。
【０１００】
営業車位置情報格納部１１２６には、１または２以上の営業車位置情報が格納される。営業車位置情報は、申請者が使用した営業車の位置を特定する情報である。営業車位置情報は、通常、申請者識別子に対応付いている。営業車位置情報は、営業車を使用した日を特定する使用日情報に対応付けられている。営業車位置情報は、例えば、（緯度，経度）であるが、地点識別子でも良い。営業車位置情報は、例えば、営業車を識別する営業車識別子に対応付いている。
【０１０１】
会社規定情報格納部１１３には、会社規定情報が格納されている。会社規定情報は、会社の規定を示す情報である。会社規定情報は、申請者が属する企業の規定に関する情報である。会社規定情報は、例えば、残業時刻情報、１または２以上の承認者情報、１または２以上の決済手段情報を有する。
【０１０２】
残業時刻情報とは、宿泊を許す残業時刻を特定する情報である。残業時刻情報は、例えば、「２３時」「２４時以降」である。
【０１０３】
承認者情報は、経費の承認者となり得ることを特定する情報である。承認者情報は、例えば、承認者を特定する承認者識別子（例えば、申請者識別子、氏名）、承認者の役職を特定する役職識別子（例えば、「部長」「所長」）である。
【０１０４】
決済手段情報とは、許容されない決済手段を特定する情報である。決済手段情報は、例えば、「○○ＰＡＹ」「電子マネー」「クレジットカード」である。
【０１０５】
飲食店集合格納部１１４には、飲食店集合が格納される。飲食店集合は、１または２以上の飲食店情報を有する。飲食店情報は、飲食店に関する情報である。飲食店情報は、例えば、飲食店を識別する飲食店識別子、金額情報を有する。飲食店情報は、住所情報、電話番号情報等を有しても良い。飲食店識別子は、例えば、飲食店名、ＩＤである。金額情報は、例えば、飲食店での適切な利用額を特定する情報である。金額情報は、例えば、当該飲食店で一人が使用する金額に関する情報である。金額情報は、例えば、当該飲食店で一人が使用する平均的な金額を示す情報である。金額情報は、例えば、当該飲食店で一人が使用する金額の上限を特定する情報でも良い。金額情報は、例えば、一回に使用する金額の上限を特定する情報等でも良い。
【０１０６】
風俗店集合格納部１１５は、風俗店集合が格納される。風俗店集合は、１または２以上の風俗店情報を有する。風俗店情報は、例えば、風俗店を識別する風俗店識別子を有する。風俗店情報は、金額情報、住所情報、電話番号情報等を有しても良い。風俗店情報は、例えば、申請者が行ってはいけない店舗を特定する情報である。
【０１０７】
相手先集合格納部１１６は、相手先集合が格納される。相手先集合は、１または２以上の相手先情報を有する。相手先情報は、例えば、相手先識別子、相手先の所属を識別する所属識別子を有する。相手先情報は、例えば、公務員の情報である。相手先情報は、例えば、議員の情報である。相手先情報は、例えば、申請者が利益を供与してはいけない相手を特定する情報である。なお、利益の供与とは、例えば、接待または手土産を渡す行為である。
【０１０８】
カード利用経費格納部１１７には、カードでの支払いを予定されている１以上の経費種類識別子が格納される。経費種類識別子は、カード種類識別子に対応付いていても良い。カード種類識別子は、カードの種類を識別する情報である。カード種類識別子は、例えば、「ＥＸ−ＩＣカード」、「コーポレートカード」である。経費種類識別子は、例えば、新幹線の運賃を示す「新幹線」、「接待交際費」である。
【０１０９】
移動手段情報格納部１１８には、移動手段情報が格納される。移動手段情報は、電車またはバスまたは飛行機またはタクシー等の移動手段を使用した場合の交通費を算出するための情報である。移動手段情報は、後述する算出情報を含む。移動手段情報は、例えば、後述する地図情報を含む。
【０１１０】
算出情報格納部１１８１には、算出情報が格納される。算出情報は、例えば、運賃算出情報、タクシー料金算出情報である。運賃算出情報は、例えば、電車またはバスまたは飛行機の交通手段の運賃を算出するための情報である。運賃算出情報は、例えば、出発識別子と到着識別子と料金情報との組を、１または２組以上有する情報である。出発識別子と到着識別子は、例えば、駅名、空港名、バス停名、駅ＩＤ、空港ＩＤ、バス停ＩＤである。タクシー料金算出情報は、タクシー料金を算出するための情報である。タクシー料金算出情報は、例えば、距離を入力として、タクシー料金を算出するための演算式である。タクシー料金算出情報は、例えば、距離とタクシー料金との組を、１または２組以上有する情報である。
【０１１１】
地図情報格納部１１８２には、地図情報が格納される。地図情報は、例えば、ナビゲーションに利用される地図の情報である。地図情報は、例えば、ＫＩＷＩフォーマットの情報である。
【０１１２】
受付部１２は、各種の情報や指示を受け付ける。ここでの受け付けとは、通常、申請者端末２等の端末からの受信である。ただし、受け付けとは、キーボードやマウス、タッチパネルなどの入力デバイスから入力された情報の受け付け、光ディスクや磁気ディスク、半導体メモリなどの記録媒体から読み出された情報の受け付けなどを含む概念であっても良い。
【０１１３】
経費受付部１２１は、１または２以上の経費情報を受け付ける。経費受付部１２１は、通常、申請者識別子に対応付けて、経費情報を受け付ける。経費受付部１２１は、例えば、経費情報と申請者識別子とを受け付ける。経費受付部１２１は、例えば、１以上の各申請者ごとに、１以上の経費情報を受け付けても良い。経費情報の受け付けは、例えば、申請者端末からの受信であるが、図示しない管理者端末からの受信でも良いし、記録媒体からの読み出しでも良いし、申請者の入力の受け付けでも良い。
【０１１４】
経費受付部１２１は、領収書画像を有する経費情報を受け付けることは好適である。経費受付部１２１は、領収書画像と、領収書画像以外の情報であり、経費情報を構成する情報とを、別々に受け付けても良い。ただし、領収書画像と当該領収書画像以外の情報とは、対応づくように受け付けられる。
【０１１５】
処理部１３は、各種の処理を行う。各種の処理とは、例えば、検査部１３１、統計処理部１３２が行う処理である。
【０１１６】
検査部１３１は、経費受付部１２１が受け付けた経費情報の不正に関する検査を行い、検査結果を取得する。検査部１３１は、経費情報格納部１１１に格納されている経費情報の不正に関する検査を行い、検査結果を取得しても良い。経費情報格納部１１１に格納されている経費情報は、経費受付部１２１が受け付けた経費情報である。検査結果は、経費情報の検査の結果に関連する情報である。検査結果は、例えば、不正であるか否かを示す情報を含む。検査結果は、例えば、不正である経費情報の一部または全部を含む。検査結果は、例えば、不正でない旨（正当である旨）を示す情報である。検査結果は、例えば、経費情報識別子、申請者識別子、経費種類識別子、金額情報、検査内容識別子、申請日等のうち、１以上の情報を有する。経費情報識別子は、経費情報を識別する情報であり、例えば、ＩＤである。検査内容識別子は、検査内容を識別する情報である。検査内容識別子は、通常、後述する検査処理に対応付けて、格納部１１に格納されている。検査内容識別子は、例えば、「出勤日以外の経費」「出張費の不正」「宿泊費の不正」「宿泊不可の日の宿泊費」「交通費の不正」「領収書分割」である。なお、検査内容識別子の内容、およびデータ構造等は問わない。
【０１１７】
検査部１３１は、例えば、外部情報を用いて、経費受付部１２１が受け付けた経費情報の不正に関する検査を行い、検査結果を取得する。外部情報とは、経費情報以外の情報である。検査部１３１が使用する外部情報は、経費検査装置１の格納部１１に格納されていても良いし、外部サーバ３に格納されていても良い。
【０１１８】
検査部１３１は、例えば、経費受付部１２１が受け付けた経費情報以外の経費情報を用いて、経費受付部１２１が受け付けた経費情報の不正に関する検査を行い、検査結果を取得する。経費受付部１２１が受け付けた経費情報以外の経費情報は、例えば、経費情報格納部１１１に格納されている経費情報であるが、外部サーバ３に格納されている経費情報でも良い。
【０１１９】
検査部１３１は、例えば、経費受付部１２１が受け付けた経費情報に対応付けられている申請者識別子に対応付く申請者情報を申請者集合から取得し、当該申請者情報を用いて、経費受付部１２１が受け付けた経費情報の不正に関する検査を行い、検査結果を取得する。なお、申請者集合は、例えば、申請者集合格納部１１２に格納されている情報であるが、図示しない外部の装置に格納されている情報でも良い。申請者情報は、申請者識別子に対応付く情報であり、例えば、勤怠情報、入退館情報、営業活動情報、カード明細情報、営業車位置情報である。
【０１２０】
画像検査手段１３１１は、経費受付部１２１が受け付けた経費情報が有する領収書画像を検査し、画像検査結果を取得する。なお、画像検査結果は、検査結果の一例である。
【０１２１】
画像検査手段１３１１は、領収書画像から１以上の文字列を取得し、当該１以上の文字列を用いて、領収書画像が正当であるか否かを検査し、画像検査結果を取得する。画像検査手段１３１１は、領収書画像から１以上の文字列を取得するために、文字認識処理、機械学習処理のいずれか１以上を用いる。
【０１２２】
なお、本明細書において、機械学習処理で使用するアルゴリズムは問わない。機械学習は、例えば、深層学習、決定木、ランダムフォレスト、ＳＶＭ、ＳＶＲ等である。機械学習で用いるモジュールは、例えば、TensorlFlowのモジュール、TinySVM等である。
（１）文字認識処理による方法
【０１２３】
画像検査手段１３１１は、例えば、領収書画像に対して、文字認識処理を行い、１以上の文字列を取得する。文字認識処理を行い、領収書画像から経費情報を構成する情報を取得する処理は公知技術である。なお、画像検査手段１３１１は、取得した文字列が、支払金額情報、店舗識別子、相手先識別子、使用日情報、科目、摘要、決済手段情報のうちのいずれの情報であるかを決定し、当該情報の種類（クラス、カテゴリー等と言っても良い）を識別する情報に対応付けて、文字列を取得する。取得した文字列のクラスを決定する技術は、情報の分類問題（クラスタリングの問題）であり、公知技術である。
【０１２４】
画像検査手段１３１１は、例えば、クラス毎に、各クラスに属する２以上の文字列を正例とし、当該クラスに属さない１以上の文字列を負例として、機械学習の学習処理を行うことにより、クラスに属するか否かの二値分類を行う学習器を構成する。そして、画像検査手段１３１１は、領収書画像から取得した１以上の各文字列に対して、２以上の各学習器を用いて、機械学習の予測処理を行い、クラスごとの予測結果とスコアを取得し、クラスに属するスコアが最大のクラスを、属するクラスに決定する。
【０１２５】
また、画像検査手段１３１１は、例えば、文字列とクラスとの組を、２組以上有する教師データとして、学習処理を行い、クラスを出力する多値分類を行う一の学習器を構成する。次に、画像検査手段１３１１は、領収書画像から取得した１以上の各文字列に対して、学習器を用いて、機械学習の予測処理を行い、各文字列が属するクラスに決定する。
【０１２６】
画像検査手段１３１１は、例えば、文字列とクラスとの組である多数の教師データを用いて、文字列を分類するための学習器を、機械学習のアルゴリズムのうちの学習処理を行うモジュールを用いて、取得する。
（２）機械学習処理による方法
【０１２７】
画像検査手段１３１１は、例えば、領収書画像と、文字列とクラスとの組を１組以上、有する２以上の教師データを用いて、機械学習のアルゴリズムにより学習処理を行い、学習器を取得する。なお、この学習器は、領収書画像を入力とし、文字列とクラスとの１組以上の組を出力とする学習器である。
【０１２８】
次に、画像検査手段１３１１は、取得された学習器と、経費受付部１２１が受け付けた経費情報が有する領収書画像とを、機械学習のアルゴリズムのうち予測処理を行うモジュールに与え、文字列とクラスとの組を１組以上、取得する。
（３）文字認識処理と機械学習処理の両方を用いる方法
【０１２９】
画像検査手段１３１１は、例えば、上記の（１）（２）の両方を用いて、クラス毎に文字列を取得し、クラス毎に（１）（２）の処理で一致しない場合、文字認識処理で取得されたスコアと、機械学習処理で取得されたスコアとを用いて、スコアが条件を満たすほど高い方の文字列を取得する。
【０１３０】
また、上記の（１）〜（３）方法のいずれか等で取得した１以上の文字列を用いて、画像検査手段１３１１は、当該１以上の各文字列が予め決められた条件を満たすか否かを判断し、画像検査結果を取得する。１以上の文字列は、例えば、支払金額情報、店舗識別子、相手先識別子、使用日情報、科目、摘要、決済手段情報のうちのいずれかである。
【０１３１】
画像検査手段１３１１は、例えば、不正な１または２以上の領収書画像である負例と、正当な１以上の２以上の領収書画像である正例とを有する教師データを用いて、機械学習のアルゴリズムにより、学習処理を行い、学習器を構成する。次に、画像検査手段１３１１は、経費受付部１２１が受け付けた経費情報が有する領収書画像と、学習器とを、機械学習の予測処理を行うモジュールに与え、予測処理を行い、不正であるか否かの予測結果を取得する。なお、学習器は、例えば、領収書内の金額の加工の不正を検知するための学習器、領収書へのサインの有無の検査のための学習器、不鮮明な領収書画像の検知のための学習器である。また、学習器は、通常、不正であるか否かの二値分類のための学習器である。
【０１３２】
統計処理部１３２は、受け付けられた経費情報に対応付く申請者識別子に対応付く１または２以上の経費情報であり、経費情報格納部１１１に格納されている１または２以上の経費情報に基づいた統計処理を行い、統計処理結果を取得する。統計処理部１３２は、例えば、申請者識別子ごとに、当該申請者識別子に対応付く１または２以上の経費情報であり、経費情報格納部に格納されている１または２以上の経費情報に基づいた統計処理を行い、統計処理結果を取得する。なお、統計処理部１３２が統計処理を行うタイミングは問わない。統計処理部１３２は、例えば、ユーザの指示の受け付けにより、統計処理を行う。統計処理部１３２は、例えば、経費情報の受け付けにより、統計処理を行う。
【０１３３】
統計処理部１３２は、例えば、経費情報格納部１１１に格納されている２以上の経費情報であり、一の申請者識別子に対応付く２以上の経費情報に含まれる店舗識別子を用いて、店舗頻度情報を取得する。店舗頻度情報は、一の店舗識別子により識別される店舗の利用頻度に関する情報である。店舗頻度情報は、利用頻度を示す情報である。店舗頻度情報は、例えば、利用した総回数を示す情報、単位期間の利用回数を示す情報である。単位期間は、例えば、１ヶ月、６ヶ月、１年である。統計処理部１３２は、申請者識別子ごとに、店舗頻度情報を取得することは好適である。
【０１３４】
統計処理部１３２は、経費情報格納部１１１に格納されている２以上の経費情報であり、一の申請者識別子に対応付く２以上の経費情報に含まれる相手先識別子を用いて、接待頻度情報を取得する。接待頻度情報は、一の相手先識別子により識別される相手先に対する支出の頻度に関する情報である。相手先に対する支出とは、相手先への利益の供与のための支払であり、例えば、相手先への接待の支払、相手先への手土産の支払等である。接待頻度情報は、利益供与の頻度を示す情報である。接待頻度情報は、例えば、利益供与した総回数を示す情報、単位期間の利益供与の回数を示す情報である。統計処理部１３２は、申請者識別子ごとに、接待頻度情報を取得することは好適である。
【０１３５】
統計処理部１３２は、一の申請者識別子に対応する経費情報に対する審査結果であり、不正であることに対応する審査結果を取得した回数である不正回数を、一の申請者識別子に対応付けて取得する。統計処理部１３２は、申請者識別子ごとに、不正回数を取得することは好適である。
【０１３６】
結果出力部１４１は、検査部１３１が取得した検査結果を出力する。結果出力部１４１は、画像検査手段１３１１が取得した画像検査結果を出力する。
【０１３７】
結果出力部１４１は、統計処理部１３２が取得した統計処理結果を出力する。結果出力部１４１は、例えば、申請者識別子に対応付けて統計処理結果を出力する。
【０１３８】
申請者端末２を構成する第一格納部２１には、各種の情報が格納される。各種の情報は、例えば、申請者識別子、経費情報である。
【０１３９】
第一受付部２２は、各種の指示や情報を受け付ける。各種の指示や情報は、例えば、経費情報、回答情報である。回答情報とは、検査結果に対する回答を示す情報である。
【０１４０】
第一処理部２３は、各種の処理を行う。各種の処理とは、例えば、第一受付部２２が受け付けた指示や情報を、送信するデータ構造の指示や情報にする処理である。各種の処理とは、例えば、第一受信部２５が受信した情報を、出力するデータ構造の情報にする処理である。
【０１４１】
第一送信部２４は、各種の指示や情報を送信する。各種の指示や情報は、例えば、経費情報、申請者識別子、回答情報である。
【０１４２】
第一受信部２５は、各種の情報を受信する。各種の情報は、例えば、検査結果、画像検査結果である。
【０１４３】
第一出力部２６は、各種の情報を出力する。各種の情報は、例えば、検査結果、画像検査結果である。
【０１４４】
ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
（検査処理の具体例）
【０１４５】
以下、検査部１３１が行う具体的な検査の例について、以下に説明する。なお、以下において、主に、不正である場合について説明するが、不正でない場合は、通常、検査部１３１は、「正当である」旨の検査結果を取得する。また、正当である場合、検査部１３１は、通常、検査対象の経費情報を申請者識別子に対応付けて、経費情報格納部１１１に蓄積する。
【０１４６】
なお、検査部１３１が検査のために使用する経費情報が有する情報は、経費受付部１２１が受け付けた文字列でも良いし、経費受付部１２１が受け付けた領収書画像から取得された情報でも良い。経費受付部１２１が受け付けた文字列は、例えば、申請者が入力した情報である。
（１）勤怠情報を用いた検査
【０１４７】
検査部１３１は、例えば、経費受付部１２１が受け付けた経費情報に対応付けられている申請者識別子に対応付く勤怠情報であり、経費受付部１２１が受け付けた経費情報に含まれる使用日情報と同一の勤務日情報を含む勤怠情報を勤怠情報格納部１１２２から取得する。次に、検査部１３１は、当該勤怠情報を用いて、経費受付部１２１が受け付けた経費情報の不正に関する検査を行い、検査結果を取得する。
（１−１）出勤日以外の経費の検査
【０１４８】
検査部１３１は、例えば、経費受付部１２１が受け付けた経費情報に対応付けられている申請者識別子に対応付く勤怠情報であり、経費受付部１２１が受け付けた経費情報に含まれる使用日情報と同一の勤務日情報を含む勤怠情報を勤怠情報格納部１１２２から取得する。次に、検査部１３１は、当該勤怠情報が出勤日でない日の情報であるか否かを判断する。出勤日でない日の情報である場合、検査部１３１は、「出勤日でない不正な経費」である旨の検査結果を取得する。なお、勤怠情報が出勤日でない日の情報であることは、検査部１３１は、勤怠情報が「休日である旨の情報」を含むこと、または勤怠情報が勤務開始時刻および勤務終了時刻を含まないこと等から、判断する。
（１−２）出張費の不正の検査 
【０１４９】
検査部１３１は、経費受付部１２１が受け付けた経費情報に対応付けられている申請者識別子および使用日情報を取得する。次に、検査部１３１は、取得した申請者識別子および使用日情報に対応する勤怠情報を、勤怠情報格納部１１２２から取得する。次に、検査部１３１は、取得した勤怠情報が出張を示す情報ではない、と判断した場合は、「カラ出張の不正」を示す検査結果を取得する。なお、「勤怠情報が出張を示す情報ではない」場合は、例えば、（ａ）勤怠情報の中に、「出張」を示す情報を有さない場合、（ｂ）勤怠情報の中に、勤務開始時刻、勤務終了時刻の情報が存在する場合等である。
（１−３）宿泊費の不正の検査
【０１５０】
検査部１３１は、経費受付部１２１が受け付けた経費情報に対応付けられている申請者識別子および使用日情報を取得する。次に、検査部１３１は、取得した申請者識別子および使用日情報に対応する勤務日情報から、勤務時間情報を取得する。次に、検査部１３１は、取得した勤務時間情報を用いて、宿泊施設への宿泊が認められる否かを判断し、検査結果を取得する。
【０１５１】
さらに具体的には、検査部１３１は、勤務時間情報が有する勤務終了時刻と、宿泊が認められる残業時刻を示す残業時刻情報とを比較し、予め決められた宿泊条件を満たすか否かを判断する。検査部１３１は、宿泊条件を満たさないと判断した場合、「宿泊費の不正な請求である旨」の検査結果を取得する。なお、宿泊条件は、残業時刻情報と勤務終了時刻とを用いた条件であり、例えば、「残業時刻情報＝＜勤務終了時刻」「残業時刻情報＜勤務終了時刻」である。
（２）入退館情報を用いた検査
【０１５２】
検査部１３１は、経費情報に対応付けられている申請者識別子に対応付く入退館情報であり、経費情報が有する使用日情報が特定する日に対応する入退館情報を入退館情報格納部１１２３から取得し、当該入退館情報を用いて、経費受付部１２１が受け付けた経費情報の不正に関する検査を行い、検査結果を取得する。
（２−１）出勤日以外の経費の検査
【０１５３】
検査部１３１は、経費受付部１２１が受け付けた経費情報に対応付けられている申請者識別子および使用日情報を取得する。次に、検査部１３１は、取得した申請者識別子および使用日情報に対応する入退館情報を、入退館情報格納部１１２３から取得する処理を行う。次に、検査部１３１は、当該入退館情報が出勤日でない日の情報であるか否かを判断する。出勤日でない日の情報である場合、検査部１３１は、「出勤日でない不正な経費」である旨の検査結果を取得する。なお、入退館情報が出勤日でない日の情報であることは、検査部１３１は、入退館情報が「休日である旨の情報」を含むこと、または入退館情報が勤務開始時刻および勤務終了時刻を含まないこと等から、判断する。
（２−２）出張費の不正の検査
【０１５４】
検査部１３１は、経費受付部１２１が受け付けた経費情報に対応付けられている申請者識別子および使用日情報を取得する。次に、検査部１３１は、取得した申請者識別子および使用日情報に対応する入退館情報を、入退館情報格納部１１２３から取得する処理を行う。次に、検査部１３１は、入退館情報の取得処理の結果が出張を示す情報ではない、と判断した場合は、「カラ出張の不正」を示す検査結果を取得する。なお、「入退館情報の取得処理の結果が出張を示す情報ではない」場合は、例えば、（ａ）入退館情報を取得できた場合、（ｂ）取得した入退館情報が有する勤務開始時刻、勤務終了時刻の情報が、通常勤務の勤務開始の時刻情報および勤務終了の時刻情報である場合等である。なお、通常勤務の勤務開始の時刻情報および勤務終了の時刻情報は、例えば、会社規定情報に格納されている。
（２−３）宿泊費の不正の検査
【０１５５】
検査部１３１は、経費受付部１２１が受け付けた経費情報に対応付けられている申請者識別子および使用日情報を取得する。次に、検査部１３１は、取得した申請者識別子および使用日情報に対応する入退館情報から、勤務終了時刻を取得する。次に、検査部１３１は、取得した勤務終了時刻を用いて、宿泊施設への宿泊が認められる否かを判断し、検査結果を取得する。
【０１５６】
さらに具体的には、検査部１３１は、勤務終了時刻と、宿泊が認められる残業時刻を示す残業時刻情報とを比較し、予め決められた宿泊条件を満たすか否かを判断する。検査部１３１は、宿泊条件を満たさないと判断した場合、「宿泊費の不正な請求である旨」の検査結果を取得する。なお、残業時刻情報は、例えば、会社規定情報に格納されている。
（３）営業活動情報を用いた検査
【０１５７】
検査部１３１は、経費受付部１２１が受け付けた経費情報に対応付けられている申請者識別子に対応付く営業活動情報であり、経費情報が有する使用日情報と同一の営業日情報を有する営業活動情報が有する１以上の地点識別子を営業活動情報格納部１１２４から取得し、当該１以上の地点識別子を用いて、経費受付部１２１が受け付けた経費情報の不正に関する検査を行い、検査結果を取得する。
（３−１）交通費の不正の検査（ｉ）
【０１５８】
検査部１３１は、会社の位置を示す情報、営業活動情報が有する１以上の地点識別子を、交通費の算出モジュールに与え、交通費の算出のための算出情報を用いて、１または２以上の交通費を取得する。なお、ここで、取得される交通費は、最安値の交通費であることは好適である。また、２以上の交通費を取得する場合は、２以上の移動ルートがある場合である。また、交通費の取得技術、最安値の交通費の取得技術は、公知技術であるので詳細な説明を省略する。また、検査部１３１は、経費受付部１２１が受け付けた経費情報から支出金額情報を取得する。
【０１５９】
次に、検査部１３１は、支出金額情報と取得した交通費とを用いて、支出金額情報が予め決められた正当な交通費の条件を満たすか否かを判断する。正当な交通費の条件を満たさない場合は、「交通費請求が不正である」旨の検査結果を得る。なお、正当な交通費の条件は、例えば、「支出金額情報＝最安値の交通費」「支出金額情報と、１以上のいずれかの交通費が一致する」「支出金額情報＜＝１以上のいずれかの交通費」である。
（３−２）交通費の不正の検査（ｉｉ）
【０１６０】
検査部１３１は、経費受付部１２１が受け付けた経費情報から、出発識別子と到着識別子とを有する交通費情報を取得する。また、検査部１３１は、営業活動情報が有する１以上の地点識別子を取得する。そして、検査部１３１は、出発識別子といずれかの地点識別子との距離が、予め決められた条件を満たすほど近いか否かを判断する。そして、出発識別子と全ての各地点識別子との距離が、予め決められた条件を満たさない場合、検査部１３１は「交通費の申請が不正である」旨の検査結果を取得する。検査部１３１は、到着識別子といずれかの地点識別子との距離が、予め決められた条件を満たすほど近いか否かを判断する。そして、到着識別子と全ての各地点識別子との距離が、予め決められた条件を満たさない場合、検査部１３１は「交通費の申請が不正である」旨の検査結果を取得する。
【０１６１】
なお、出発識別子または到着識別子と、各地点識別子との距離を算出する技術は公知技術である。
（４）カード明細情報を用いた検査
【０１６２】
検査部１３１は、経費受付部１２１が受け付けた経費情報に対応付けられている申請者識別子に対応付くカード明細情報であり、経費情報が有する使用日情報と同一の使用日情報を有するカード明細情報をカード明細情報格納部１１２５から取得し、当該カード明細情報を用いて、経費受付部１２１が受け付けた経費情報の不正に関する検査を行い、検査結果を取得する。
（４−１）領収書分割の検査
【０１６３】
検査部１３１は、経費受付部１２１が受け付けた経費情報に対応付けられている申請者識別子に対応付くカード明細情報であり、経費情報が有する使用日情報と同一の使用日情報を有するカード明細情報をカード明細情報格納部１１２５から取得する。そして、検査部１３１は、２以上のカード明細情報を取得でき、かつ２以上の各カード明細情報が有する店舗識別子が同一であり、と判断した場合に、「領収書分割の不正である」旨の検査結果を取得する。
（４−２）社内飲み会後のタクシー利用の検査
【０１６４】
検査部１３１は、経費受付部１２１が受け付けた経費情報に対応付けられている申請者識別子に対応付くカード明細情報を取得する。また、検査部１３１は、当該カード明細情報が有する情報を用いて、タクシー利用の経費であるか否かを判断する。タクシー利用の経費である場合、検査部１３１は、当該カード明細情報が有する使用日情報と同一の使用日情報を含む経費情報に含まれる１以上の参加者情報（例えば、参加者の氏名）を取得する。次に、検査部１３１は、１以上の参加者情報のすべてが、個人情報格納部１１２１（社員データベース）が有する個人情報に対応するか否か（例えば、参加者の氏名を含むか否か）を判断する。そして、１以上の参加者情報のすべてが個人情報に対応する場合、検査部１３１は、「社内飲み会後のタクシー利用」である旨の検査結果を取得する。
（５）営業車位置情報を用いた検査
【０１６５】
検査部１３１は、経費受付部１２１が受け付けた経費情報に対応付けられている申請者識別子に対応付く１以上の営業車位置情報であり、経費情報が有する使用日情報と同一の使用日情報に対応付けられている１以上の営業車位置情報を営業車位置情報格納部１１２６から取得する。次に、検査部１３１は、当該営業車位置情報を用いて、経費情報の不正に関する検査を行い、検査結果を取得する。
（５−１）営業車の不正な使用の検査（不正な地点の検査）
【０１６６】
検査部１３１は、取得した１以上の営業車位置情報が、予め決められた不正な地点（例えば、観光地）と予め決められた条件を満たすほど近いか否かを判断する。予め決められた条件を満たすほど近いと判断した場合、検査部１３１は、「営業車の不正な使用である」旨の検査結果を取得する。なお、予め決められた不正な地点の情報は、例えば、会社規定情報の中に含まれる。
（６）カード利用経費情報を用いた検査
【０１６７】
検査部１３１は、経費受付部１２１が受け付けた経費情報に対応付く経費種類識別子が、経費受付部１２１が受け付けた経費情報に対応付けられている申請者識別子に対応付く所有カード情報に対応する経費種類識別子として、カード利用経費格納部１１７に格納されているか否か検査し、検査結果を取得する。なお、例えば、飲食代または接待費は、クレジットカードを使用することが、カード利用経費格納部１１７に格納されている、とする。
（７）会社規定情報を用いた検査
【０１６８】
検査部１３１は、会社規定情報格納部１１３に格納されている会社規定情報を用いて、経費受付部１２１が受け付けた経費情報が、前記会社規定情報が特定する会社規定に合致するか否かの検査を行い、検査結果を取得する。なお、会社規定情報を用いた検査の具体例は、例えば、（２−２）、（２−３）、後述する（１３−１）（１３−２）、後述する（１４−３）（ａ）、後述する（１４−４）（ａ）等である。
（８）移動手段情報を用いた検査
【０１６９】
検査部１３１は、経費受付部１２１が受け付けた経費情報と、移動手段情報格納部１１８に格納されている移動手段情報とを用いて、交通費の不正に関する検査を行い、検査結果を取得する。
（８−１）電車、バス、または飛行機の交通費の不正の検査
【０１７０】
検査部１３１は、経費受付部１２１が受け付けた交通費に関する経費情報に対応付けられている申請者識別子に対応付く申請者情報を取得し、申請者情報、または申請者情報と移動手段情報を用いて、交通費の請求に関する不正に関する検査を行い、検査結果を取得する。
【０１７１】
さらに具体的には、検査部１３１は、経費受付部１２１が受け付けた経費情報から出発識別子と到着識別子と料金情報とを有する１以上の区間情報を有する交通費情報を取得する。次に、１以上の各区間情報が有する出発識別子と到着識別子とを交通費の算出モジュールに与え、交通費の算出のための算出情報を用いて、１または２以上の交通費を取得する。なお、ここで、取得される交通費は、最安値の交通費であることは好適である。また、２以上の交通費を取得する場合は、２以上の移動ルートがある場合である。また、交通費の取得技術、最安値の交通費の取得技術は、公知技術であるので詳細な説明を省略する。また、また、交通費は、外部サーバ３を用いて取得することは好適である。
【０１７２】
また、検査部１３１は、経費受付部１２１が受け付けた経費情報から支出金額情報を取得する。
【０１７３】
次に、検査部１３１は、料金情報と交通費とを用いて、料金情報が予め決められた正当な交通費の条件を満たすか否かを判断する。正当な交通費の条件を満たさない場合は、「交通費請求が不正である」旨の検査結果を得る。なお、正当な交通費の条件は、例えば、「料金情報＝最安値の交通費」「料金情報と、１以上のいずれかの交通費が一致する」「料金情報＜＝１以上のいずれかの交通費」である。
（８−２）タクシー料金の不正の検査
【０１７４】
検査部１３１は、経費受付部１２１が受け付けたタクシー料金に関する経費情報に対応付けられている申請者識別子に対応付く申請者情報を取得し、申請者情報、または申請者情報と移動手段情報を用いて、交通費の請求に関する不正に関する検査を行い、検査結果を取得する。
【０１７５】
さらに具体的には、検査部１３１は、経費受付部１２１が受け付けた経費情報から出発識別子と到着識別子と支出金額情報とを有する交通費情報を取得する。次に、交通費情報が有する出発識別子と到着識別子と地図情報とを用いて、移動した距離を取得する。次に、検査部１３１は、当該距離と、タクシー料金の算出のための算出情報とを用いて、タクシー料金を取得する。なお、ここで、タクシー料金の取得技術は、公知技術であるので詳細な説明を省略する。また、タクシー料金は、外部サーバ３を用いて取得することは好適である。
【０１７６】
また、検査部１３１は、経費受付部１２１が受け付けた経費情報から支出金額情報を取得する。
【０１７７】
次に、検査部１３１は、支出金額情報とタクシー料金とを用いて、支出金額情報が予め決められた正当なタクシー料金の条件を満たすか否かを判断する。正当なタクシー料金の条件を満たさない場合は、「交通費請求が不正である旨」の検査結果を得る。なお、正当な交通費の条件は、例えば、「支出金額情報＝タクシー料金」「支出金額情報−タクシー料金＜＝閾値」「支出金額情報−タクシー料金＜閾値」である。
（８−３）定期区間との重複の検査
【０１７８】
検査部１３１は、経費受付部１２１が受け付けた交通費に関する経費情報に対応付けられている申請者識別子に対応付く定期区間情報を、個人情報格納部１１２１から取得する。次に、検査部１３１は、経費受付部１２１が受け付けた経費情報から出発識別子と到着識別子とを有する１以上の区間情報を有する交通費情報を取得する。
【０１７９】
次に、検査部１３１は、定期区間情報が特定する区間と、１以上の各区間情報が特定する区間との重複の有無を、移動手段情報を用いて判断する。検査部１３１は、例えば、１以上の各区間情報の区間の中の駅名を順に並べた駅名の集合（駅名群１）を、移動手段情報を用いて、する。そして、検査部１３１は、定期区間情報が特定する区間の駅名を順に並べた駅名の集合（駅名群２）を、移動手段情報を用いて取得する。そして、検査部１３１は、駅名群１と駅名群２の中で、２以上の連続する同一の駅名が含まれるか否かを判断する。２以上の連続する同一の駅名が含まれる場合に、検査部１３１は、「申請した交通費が定期区間を含む」旨の検査結果を取得する。
（９）店舗情報を用いた検査
【０１８０】
検査部１３１は、経費受付部１２１が受け付けた経費情報が有する店舗識別子と店舗集合が有する店舗情報とを用いて、経費情報の不正に関する検査を行い、検査結果を取得する。なお、店舗集合は、例えば、飲食店集合格納部１１４の飲食店集合、または風俗店集合格納部１１５の飲食店集合であるが、図示しない外部の装置に存在する飲食店集合または風俗店集合でも良い。
（９−１）店舗不正の検査（風俗店等の利用）
【０１８１】
検査部１３１は、例えば、経費受付部１２１が受け付けた経費情報が有する店舗識別子を取得する。次に、検査部１３１は、取得した店舗識別子（風俗店識別子）が風俗店集合格納部１１５に格納されているか否かを検査し、格納されている場合に、「行ってはいけない風俗店で経費を使用した旨の不正」を示す検査結果を取得する。なお、かかる検査結果は、風俗店集合格納部１１５の当該店舗識別子を含む風俗店情報を含むことは好適である。
（９−２）金額不正の検査
（ａ）金額全体の検査
【０１８２】
検査部１３１は、例えば、経費受付部１２１が受け付けた経費情報が有する店舗識別子と対になる金額情報を飲食店集合格納部１１４から取得する。次に、検査部１３１は、例えば、経費受付部１２１が受け付けた経費情報が有する支出金額情報を取得する。次に、検査部１３１は、取得した支出金額情報と取得した金額情報と比較して、予め決められた条件を満たすほど高い金額を示す情報であるか否かを判断する。そして、検査部１３１は、予め決められた条件を満たすほど高い金額を示す情報である場合に、「不正な金額の経費が使われた」旨の検査結果を取得する。なお、予め決められた条件は、例えば、「支出金額情報−金額情報＞＝閾値」「支出金額情報−金額情報＞閾値」「支出金額情報／金額情報＞＝閾値」「支出金額情報／金額情報＞閾値」である。なお、各閾値は、異なっていても良いことは言うまでもない。
（９−３）交際費は飲食店を利用しているか否かの検査
【０１８３】
検査部１３１は、例えば、経費受付部１２１が受け付けた経費情報の経費種類識別子を取得する。次に、検査部１３１は、当該経費種類識別子が「交際費」に該当するか否かを判断する。「交際費」に該当する場合、検査部１３１は、経費受付部１２１が受け付けた経費情報が有する店舗識別子を取得する。次に、検査部１３１は、当該店舗識別子が飲食店の識別子であるか否かを判断する。飲食店の識別子でなければ、検査部１３１は、「不正な交際費の申請である」旨の検査結果を取得する。
【０１８４】
なお、検査部１３１は、例えば、店舗識別子が飲食店集合格納部１１４に格納されているか否かにより、店舗識別子が飲食店の識別子であるか否かを判断する。また、検査部１３１は、例えば、店舗識別子をキーとしてウェブ検索を行い、取得したウェブページに、飲食店を示す情報（例えば、居酒屋、イタリアン、料理名など）が存在するか否かにより、店舗識別子が飲食店の識別子であるか否かを判断する。また、店舗識別子のクラスタリングは、他の方法を用いても良い。つまり、店舗識別子が飲食店の識別子であるか否かを判断するアルゴリズムは問わない。
（ｂ）一人当たりの金額の検査
【０１８５】
検査部１３１は、例えば、経費受付部１２１が受け付けた経費情報が有する店舗識別子と対になる金額情報を飲食店集合格納部１１４から取得する。次に、検査部１３１は、例えば、経費受付部１２１が受け付けた経費情報が有する支出金額情報を取得する。また、検査部１３１は、例えば、経費受付部１２１が受け付けた経費情報が有する人数情報、または経費情報が有する参加者情報から取得された人数情報を取得する。次に、検査部１３１は、取得した支出金額情報と取得した金額情報と人数情報とを用いて、予め決められた条件を満たすほど、一人当たりの金額が高いか否かを判断する。そして、検査部１３１は、一人当たりの金額が予め決められた条件を満たすほど高い金額である場合に、「不正な金額の経費が使われた」旨の検査結果を取得する。なお、予め決められた条件は、例えば、「（支出金額情報／人数情報）−金額情報＞＝閾値」「（支出金額情報／人数情報）−金額情報＞閾値」「（支出金額情報／人数情報）／金額情報＞＝閾値」「（支出金額情報／人数情報）／金額情報＞閾値」である。なお、各閾値は、異なっていても良いことは言うまでもない。
（１０）相手先情報を用いた検査
【０１８６】
検査部１３１は、経費受付部１２１が受け付けた経費情報が有する相手先識別子と外部情報が有する１以上の相手先情報とを用いて、経費情報の不正に関する検査を行い、検査結果を取得する。なお、１以上の相手先情報は、例えば、相手先集合である。また、相手先集合は、例えば、相手先集合格納部１１６の相手先集合である。
（１０−１）公務員に対する利益供与の検査
【０１８７】
検査部１３１は、経費受付部１２１が受け付けた経費情報が有する相手先識別子を取得する。次に、検査部１３１は、取得した相手先識別子が、公務員の情報が格納されている相手先集合格納部１１６に存在するか否かを判断する。存在する場合には、「公務員に対して不正な利益供与をした旨の不正」を示す検査結果を取得する。
（１０−２）議員に対する利益供与の検査
【０１８８】
検査部１３１は、経費受付部１２１が受け付けた経費情報が有する相手先識別子を取得する。次に、検査部１３１は、取得した相手先識別子が、議員の情報が格納されている相手先集合格納部１１６に存在するか否かを判断する。存在する場合には、「議員に対して不正な利益供与をした旨の不正」を示す検査結果を取得する。
（１１）過去の経費情報を用いた検査
（１１−１）二重申請の検査
【０１８９】
検査部１３１は、経費受付部１２１が受け付けた経費情報と、当該経費情報に対応付けられている申請者識別子と同一の申請者識別子に対応付けられて経費情報格納部１１１に格納されている過去の１以上のいずれかの経費情報とが、予め決められた条件を満たすほど近似するか否かを判断し、検査結果を取得する。
【０１９０】
２つの経費情報が「予め決められた条件を満たすほど近似する」ことは、例えば、経費受付部１２１が受け付けた経費情報が有する支出金額情報、店舗識別子、相手先識別子、使用日情報、科目、摘要、承認者識別子のうち、（ａ）予め決められた数以上の情報が一致すること、（ｂ）予め決められた１または２以上の情報がすべて一致すること等である。なお、予め決められた１または２以上の情報は、経費受付部１２１が受け付けた経費情報が有する支出金額情報、店舗識別子、相手先識別子のうちの１以上の情報である。
（１１−２）領収書の使い回しの検査
【０１９１】
検査部１３１は、経費受付部１２１が受け付けた経費情報が有する領収書画像と、経費情報格納部１１１に格納されている過去の経費情報が有する領収書画像とが、予め決められた条件を満たすほど類似していると判断した場合、「領収書の使い回しの不正である」旨の検査結果を取得する。なお、検査部１３１が検査に使用する過去の経費情報が有する領収書画像は、経費受付部１２１が受け付けた経費情報に対応付けられている申請者識別子と同一の申請者識別子に対応付けられている領収書画像（申請者自身が、過去に使用した領収書画像）であることは好適であるが、他の申請者識別子に対応付けられている領収書画像でも良い。具体的には、例えば、以下の（ａ）（ｂ）のいずれかの方法で領収書の使い回しを検査する。
（ａ）画像の類似度を用いる場合
【０１９２】
検査部１３１は、例えば、経費受付部１２１が受け付けた経費情報が有する領収書画像と、経費情報格納部１１１に格納されている過去の１以上の各経費情報が有する領収書画像との類似度を取得し、当該類似度が閾値以上または閾値より大きい場合、「領収書の使い回しの不正である」旨の検査結果を取得する。なお、検査結果は、使い回しと判断された過去の経費情報、使い回しと判断された過去の経費情報が有する領収書画像等を有しても良い。
（ｂ）機械学習による場合
【０１９３】
検査部１３１は、例えば、領収書の使い回しであると人が判断した２つの領収書画像の組の１組以上を正例とし、異なる２つの領収書の組の１組以上を負例として有する教師データを用いて、機械学習の学習処理により、構成された学習器を構成する。なお、かかる学習器は、使い回しか否か（同一か否か）を出力する学習器である。
【０１９４】
次に、検査部１３１は、当該学習器と、経費受付部１２１が受け付けた経費情報が有する領収書画像と、経費情報格納部１１１の過去の領収書画像とを用いて、機械学習の予測処理を行い、使い回しであるとの出力結果を得た場合に、「領収書の使い回しの不正である」旨の検査結果を取得する。なお、経費情報格納部１１１の過去の領収書画像は、経費受付部１２１が受け付けた経費情報に対応する申請者識別子に対応付く領収書画像であることは好適である。
（１１−３）同日の経費申請の数が多いことの検査
【０１９５】
検査部１３１は、一の申請者識別子に対応付く２以上の経費情報を検査し、同一の使用日情報を有する経費情報の数が予め決められた条件を満たすほど多いか否かを判断し、検査結果を取得する。検査部１３１は、経費情報の数が予め決められた条件を満たすほど多い場合に、不正である旨の検査結果を取得する。
【０１９６】
なお、一の申請者識別子に対応付く、同一の使用日情報を有する経費情報の数は、統計処理部１３２が取得しても良い。
（１１−４）二次会支出による不正の検査
【０１９７】
検査部１３１は、一の申請者識別子に対応付く２以上の経費情報を検査し、同一の使用日情報であり、異なる飲食店識別子を有する経費情報の数が予め決められた条件を満たすほど多いか否かを判断し、検査結果を取得する。例えば、同日に２以上の飲食店の経費申請がある場合、二次会にまで経費を使用していることを意味し、「二次会支出による不正である」旨の検査結果を取得する。
（１２）統計処理結果を用いた検査
【０１９８】
検査部１３１は、統計処理部１３２が取得した統計処理結果が予め決められた条件を満たすか否かを検査し、検査結果を取得する。
（１２−１）店舗頻度情報を用いた検査
【０１９９】
検査部１３１は、統計処理部１３２が取得した店舗頻度情報が予め決められた条件を満たすほど大きいか否かを検査し、検査結果を取得する。検査部１３１は、店舗頻度情報が予め決められた条件である店舗頻度条件を満たすほど大きい値の場合、「一の店舗を使用しすぎている」旨の検査結果を取得する。店舗頻度条件は、不正条件の一例である。店舗頻度条件は、例えば、「店舗頻度情報＞＝閾値」「店舗頻度情報＞閾値」である。また、店舗頻度条件は、例えば、格納部１１に格納されている。
（１２−２）接待頻度情報を用いた検査
【０２００】
検査部１３１は、統計処理部１３２が取得した接待頻度情報が予め決められた条件を満たすか否かを検査し、検査結果を取得する。検査部１３１は、接待頻度情報が予め決められた条件である接待頻度条件を満たすほど大きい値の場合、「一の相手先の接待等の回数が多すぎる（癒着の可能性がある等）」旨の検査結果を取得する。接待頻度条件は、不正条件の一例である。接待頻度条件は、例えば、「接待頻度情報＞＝閾値」「接待頻度情報＞閾値」である。また、接待頻度条件は、例えば、格納部１１に格納されている。
（１２−３）一の申請者の不正回数の検査
【０２０１】
検査部１３１は、統計処理部１３２が取得した不正回数が予め決められた条件である不正回数条件を満たすか否かを検査し、「申請者の不正回数は多い」旨の検査結果を取得する。予め決められた条件は、例えば、「今までの不正回数が閾値以上または閾値より多い」「単位期間（例えば、１年、３年）の不正回数が閾値以上または閾値より多い」である。なお、不正回数条件は、不正条件の一例である。不正回数条件は、例えば、「不正回数＞＝閾値」「不正回数＞閾値」である。また、不正回数条件は、例えば、格納部１１に格納されている。
（１３）経費申請の承認者の不正の検知
【０２０２】
検査部１３１は、受け付けられた経費情報が有する承認者識別子で識別される承認者が、承認者情報により特定される承認者であるか否かを検査し、検査結果を取得する。
（１３−１）承認可能な承認者が管理されている場合
【０２０３】
検査部１３１は、例えば、受け付けられた経費情報が有する承認者識別子が、会社規定情報格納部１１３の会社規定情報に格納されている承認者情報の中に含まれるか否かを判断し、含まれていない場合、「不正な承認者である」旨の検査結果を取得する。
（１３−２）承認可能な役職が管理されている場合
【０２０４】
検査部１３１は、例えば、受け付けられた経費情報が有する承認者識別子と対になる役職識別子を個人情報格納部１１２１から取得し、当該役職識別子が、会社規定情報格納部１１３の会社規定情報に格納されている承認者情報の中に含まれるか否かを判断し、含まれていない場合、「不正な承認者である」旨の検査結果を取得する。
（１４）申請漏れの検知
【０２０５】
検査部１３１は、一の申請者識別子に対応する申請者情報を用いて、申請者情報に対応する経費情報が、一の申請者識別子に対応付けられている１以上の経費情報が格納されている経費情報格納部１１１に存在するか否かを判断し、申請者情報に対応する経費の申請が行われているか否かの申請の漏れの検査を行い、検査結果を取得する。なお、申請者情報は、例えば、勤怠情報、入退館情報、営業活動情報、カード明細情報、営業車位置情報である。
（１４−１）勤怠情報を用いた申請漏れの検知
（ａ）労働賃金の経費の申請漏れ
【０２０６】
検査部１３１は、一の申請者識別子に対応する勤怠情報を勤怠情報格納部１１２２から取得する。次に、検査部１３１は、取得した勤怠情報が給与の範囲に入らない勤怠に対応する情報であるか否かを判断する。次に、勤怠情報が給与の範囲に入らない勤怠に対応する情報であると判断した場合、検査部１３１は、一の申請者識別子に対応し、当該勤怠情報が有する勤務日情報と同一の使用日情報を有する経費情報であり、労働賃金を示す経費種類識別子（例えば、「労働賃金」）を有する経費情報が経費情報格納部１１１に存在するか否かを判断する。当該経費情報が経費情報格納部１１１に存在しない、と判断した場合、検査部１３１は、当該「勤怠情報に対応する経費が申請されていない」旨の検査結果を取得する。
【０２０７】
取得した勤怠情報が給与の範囲に入らない勤怠であるか否かについて、検査部１３１は、例えば、勤怠情報が有する曜日情報を取得し、当該曜日情報が勤務日でない曜日（例えば、土曜日、日曜日、祝日）である場合に、取得した勤怠情報が給与の範囲に入らない勤怠であると判断する。検査部１３１は、例えば、勤怠情報に対応する申請者識別子を取得し、当該申請者識別子と対になる申請者種類情報が予め決められた情報（例えば、「アルバイト」、「パート」）である場合、取得した勤怠情報が給与の範囲に入らない勤怠であると判断する。なお、申請者種類情報は、個人情報格納部１１２１の個人情報が有する情報である。
（ｂ）出張費の申請の漏れ
【０２０８】
検査部１３１は、一の申請者識別子に対応する勤怠情報を勤怠情報格納部１１２２から取得する。次に、検査部１３１は、取得した勤怠情報が出張に対応する情報であるか否かを判断する。勤怠情報が出張に対応する情報である場合に、検査部１３１は、一の申請者識別子に対応し、当該勤怠情報が有する勤務日情報と同一の使用日情報を有する経費情報であり、出張の際に申請する経費の経費種類識別子（例えば、「出張費」「旅費交通費」）を有する経費情報が経費情報格納部１１１に存在するか否かを判断する。検査部１３１は、かかる経費情報が経費情報格納部１１１に存在しないと判断した場合、検査部１３１は、当該「出張に対応する経費が申請されていない」旨の検査結果を取得する。
【０２０９】
なお、検査部１３１は、例えば、勤怠情報が出張であることを示す出張フラグを有する場合に、当該勤怠情報が出張に対応する情報である、と判断する。また、検査部１３１は、例えば、勤怠情報が開始時刻情報及び終了時刻情報を有さない場合に、当該勤怠情報が出張に対応する情報である、と判断する。また、検査部１３１は、例えば、勤怠情報が出張先を示す地点識別子を有する場合、当該勤怠情報が出張に対応する情報である、と判断する。
（ｃ）海外日当の申請の漏れ
【０２１０】
検査部１３１は、一の申請者識別子に対応する勤怠情報を勤怠情報格納部１１２２から取得する。次に、検査部１３１は、取得した勤怠情報が海外出張に対応する情報であるか否かを判断する。勤怠情報が海外出張に対応する情報である場合に、検査部１３１は、一の申請者識別子に対応し、当該勤怠情報が有する勤務日情報と同一の使用日情報を有する経費情報であり、海外出張の際に申請する経費の経費種類識別子（例えば、「海外日当」「海外出張手当」）を有する経費情報が経費情報格納部１１１に存在するか否かを判断する。検査部１３１は、かかる経費情報が経費情報格納部１１１に存在しないと判断した場合、検査部１３１は、当該「海外出張に対応する経費が申請されていない」旨の検査結果を取得する。
【０２１１】
なお、検査部１３１は、例えば、勤怠情報が海外出張であることを示す海外出張フラグを有する場合に、当該勤怠情報が海外出張に対応する情報である、と判断する。また、検査部１３１は、例えば、勤怠情報が海外出張先を示す地点識別子を有する場合、当該勤怠情報が海外出張に対応する情報である、と判断する。
【０２１２】
また、検査部１３１は、例えば、会社規定情報格納部１１３の会社規定情報が有する海外出張の規定の金額情報を取得し、対応する経費情報の金額情報と比較し、一致しない場合に、「海外日当の申請の不正」の旨の検査結果を取得しても良い。
【０２１３】
また、検査部１３１は、例えば、一の申請者識別子に対応する営業活動情報を営業活動情報格納部１１２４から取得する。そして、検査部１３１は、営業活動情報が有する地点識別子が海外出張に対応する地点識別子であると判断した場合、当該営業活動情報が有する営業日情報を取得する。次に、検査部１３１は、一の申請者識別子に対応し、取得した営業日情報と同一の使用日情報を有する経費情報であり、海外出張の際に申請する経費の経費種類識別子を有する経費情報が経費情報格納部１１１に存在するか否かを判断する。検査部１３１は、かかる経費情報が経費情報格納部１１１に存在しないと判断した場合、検査部１３１は、当該「海外出張に対応する経費が申請されていない」旨の検査結果を取得する。
（１４−２）入退館情報を用いた申請漏れの検知
（ａ）労働賃金の経費の申請漏れ
【０２１４】
検査部１３１は、一の申請者識別子に対応する入退館情報を入退館情報格納部１１２３から取得する。次に、検査部１３１は、取得した入退館情報が給与の範囲に入らない勤務に対応する情報であるか否かを判断する。次に、入退館情報が給与の範囲に入らない勤務に対応する情報であると判断した場合、検査部１３１は、一の申請者識別子に対応し、当該入退館情報が有する勤務日情報と同一の使用日情報を有する経費情報であり、労働賃金を示す経費種類識別子（例えば、「労働賃金」）を有する経費情報が経費情報格納部１１１に存在するか否かを判断する。当該経費情報が経費情報格納部１１１に存在しない、と判断した場合、検査部１３１は、当該「入退館情報に対応する経費が申請されていない」旨の検査結果を取得する。
【０２１５】
取得した入退館情報が給与の範囲に入らない勤怠であるか否かについて、検査部１３１は、例えば、入退館情報が有する曜日情報を取得し、当該曜日情報が勤務日でない曜日（例えば、土曜日、日曜日、祝日）である場合に、取得した入退館情報が給与の範囲に入らない勤怠であると判断する。検査部１３１は、例えば、入退館情報に対応する申請者識別子を取得し、当該申請者識別子と対になる申請者種類情報が予め決められた情報（例えば、「アルバイト」、「パート」）である場合、取得した入退館情報が給与の範囲に入らない勤務であると判断する。
（ｂ）出張費の申請の漏れ
【０２１６】
検査部１３１は、一の申請者識別子に対応する入退館情報を入退館情報格納部１１２３から取得する。次に、検査部１３１は、取得した入退館情報が出張に対応する情報であるか否かを判断する。入退館情報が出張に対応する情報である場合に、検査部１３１は、一の申請者識別子に対応し、当該入退館情報が有する勤務日情報と同一の使用日情報を有する経費情報であり、出張の際に申請する経費の経費種類識別子（例えば、「出張費」「旅費交通費」）を有する経費情報が経費情報格納部１１１に存在するか否かを判断する。検査部１３１は、かかる経費情報が経費情報格納部１１１に存在しないと判断した場合、検査部１３１は、当該「出張に対応する経費が申請されていない」旨の検査結果を取得する。
【０２１７】
なお、検査部１３１は、例えば、入退館情報が開始時刻情報及び終了時刻情報を有さない場合に、当該入退館情報が出張に対応する情報である、と判断する。検査部１３１は、例えば、入退館情報が開始時刻情報及び終了時刻情報を有さず、かつ一の申請者識別子に対応し、使用日情報と同一の勤務日情報を有する勤怠情報が出勤（欠勤でない旨）を示す情報であると判断した場合に、当該入退館情報が出張に対応する情報である、と判断する。
（１４−３）営業活動情報を用いた申請漏れの検知
（ａ）出張費の申請の漏れ
【０２１８】
検査部１３１は、一の申請者識別子に対応する営業活動情報を営業活動情報格納部１１２４から取得する。次に、検査部１３１は、取得した営業活動情報が出張に対応する情報であるか否かを判断する。営業活動情報が出張に対応する情報である場合に、検査部１３１は、一の申請者識別子に対応し、当該営業活動情報が有する営業日情報と同一の使用日情報を有する経費情報であり、出張の際に申請する経費の経費種類識別子（例えば、「出張費」「旅費交通費」）を有する経費情報が経費情報格納部１１１に存在するか否かを判断する。検査部１３１は、かかる経費情報が経費情報格納部１１１に存在しないと判断した場合、検査部１３１は、当該「出張に対応する経費が申請されていない」旨の検査結果を取得する。
【０２１９】
なお、検査部１３１は、例えば、営業活動情報が有する地点識別子と、予め決められている会社の位置情報とを用いて、地点識別子が識別する地点と会社との距離を地図情報格納部１１８２の地図情報を用いて取得し、当該距離が、出張費が発生する距離以上の距離であると判断した場合に、営業活動情報が出張に対応する情報であると判断する。なお、出張費が発生する最低の距離の情報は、例えば、会社規定情報格納部１１３に格納されている。
【０２２０】
また、検査部１３１は、例えば、営業活動情報が地点識別子を有する場合に、営業活動情報が出張に対応する情報であると判断する。
【０２２１】
なお、営業活動情報が出張に対応する情報であると判断するアルゴリズムは問わない。営業活動情報は、出張か否かを示すフラグを有しても良い。
（ｂ）交通費の申請の漏れ
【０２２２】
検査部１３１は、一の申請者識別子に対応する営業活動情報が有する１以上の地点識別子を営業活動情報格納部１１２４から取得する。次に、検査部１３１は、予め格納されている会社の位置情報と取得した１以上の地点識別子とを用いて、交通費が発生するか否かを判断する。交通費が発生すると判断した場合、検査部１３１は、営業活動情報が有する営業日情報と同一の使用日情報を有する経費情報であり、「旅費交通費」の経費種類識別子を有する経費情報が経費情報格納部１１１に存在するか否かを判断する。検査部１３１は、かかる経費情報が経費情報格納部１１１に存在しないと判断した場合、検査部１３１は、当該「交通費の経費が申請されていない」旨の検査結果を取得する。
【０２２３】
なお、交通費が発生するか否かについて、検査部１３１は、例えば、算出情報格納部１１８１の算出情報を用いて判断する。具体的には、検査部１３１は、例えば、会社の位置情報と地点識別子を、交通費を算出する算出モジュールに与え、交通費の情報が出力されるか否かを判断する。また、検査部１３１は、例えば、会社の位置情報と地点識別子との距離を、地図情報を用いて取得し、当該距離が閾値以上であるか否かにより、交通費が発生するか否かを判断する。なお、算出モジュールは、公知技術である。
（１４−４）営業車位置情報を用いた申請漏れの検知
（ａ）出張費の申請の漏れ
【０２２４】
検査部１３１は、一の申請者識別子、および一の使用日情報に対応する１以上の営業車位置情報を営業車位置情報格納部１１２６から取得する。次に、検査部１３１は、取得した１以上の営業車位置情報が出張に対応する情報であるか否かを判断する。営業車位置情報が出張に対応する情報である場合に、検査部１３１は、一の申請者識別子に対応し、営業車位置情報に対応する一の使用日情報と同一の使用日情報を有する経費情報であり、出張の際に申請する経費の経費種類識別子（例えば、「出張費」）を有する経費情報が経費情報格納部１１１に存在するか否かを判断する。検査部１３１は、かかる経費情報が経費情報格納部１１１に存在しないと判断した場合、検査部１３１は、当該「出張に対応する経費が申請されていない」旨の検査結果を取得する。
【０２２５】
なお、検査部１３１は、例えば、１以上の各営業車位置情報と、予め格納されている会社の位置情報とを用いて、営業車位置情報が示す位置と会社との距離の最大値を地図情報格納部１１８２の地図情報を用いて取得し、当該距離の最大値が、出張費が発生する距離以上の距離であると判断した場合に、営業活動情報が出張に対応する情報であると判断する。なお、出張費が発生する最低の距離の情報は、例えば、会社規定情報格納部１１３に格納されている。
【０２２６】
また、検査部１３１は、例えば、１以上の各営業車位置情報に対応付けられている出張フラグが存在する場合に、営業活動情報が出張に対応する情報であると判断する。なお、出張フラグは、出張であることを示すフラグである。
【０２２７】
出力部１４は、各種の情報を出力する。各種の情報とは、例えば、検査結果、画像検査結果、統計処理結果である。ここで、出力とは、通常、申請者端末２への送信であるが、経理端末等の他の装置への送信、経費検査装置１への蓄積、ディスプレイへの表示等でも良い。
（１５）画像検査手段１３１１が行う領収書画像検査
【０２２８】
画像検査手段１３１１は、例えば、文字認識処理、機械学習処理のうちの１以上の処理を行い（上記の（１）〜（３）方法のいずれか等）、１以上の文字列を取得し、当該１以上の各文字列が予め決められた条件を満たすか否かを判断し、画像検査結果を取得する。１以上の文字列は、例えば、支払金額情報、店舗識別子、相手先識別子、使用日情報、科目、摘要、決済手段情報のうちのいずれかである。
【０２２９】
画像検査手段１３１１が行う検査の例は、以下の（１５−１）〜（１５−９）である。画像検査手段１３１１は、例えば、（１５−１）〜（１５−９）のうちのいずれか１以上の検査を行い、画像検査結果を取得する。なお、（１５−１）〜（１５−９）は、領収書画像検査の例である。
（１５−１）領収書画像と経費情報の文字列との不一致の検査
【０２３０】
画像検査手段１３１１は、経費受付部１２１が受け付けた経費情報が有する領収書画像から文字列とクラスとの組を、１組以上取得する。次に、検査部１３１は、組ごとに、当該組が有するクラスに対応し、経費受付部１２１が受け付けた経費情報が有する文字列（例えば、支払金額情報、店舗識別子、相手先識別子、使用日情報、科目、摘要、決済手段情報のうちのいずれか）を取得する。次に、検査部１３１は、組ごとに、領収書画像から取得した一のクラスの文字列と、経費受付部１２１が受け付けた経費情報が有する同一クラスの文字列とを比較し、予め決められた関係を有するか否かを判断する。予め決められた関係を有さない場合、検査部１３１は、不正を示す検査結果を取得する。
【０２３１】
なお、予め決められた関係は、一致であるが、予め決められた条件を満たすほど類似すること（例えば、類似度が閾値以上、「（株)」と「株式会社」の差異のみ、表記の差異のみ等）である。
（１５−２）金額の加工の検査
（ａ）文字認識処理を用いる場合
【０２３２】
画像検査手段１３１１は、例えば、文字認識技術により、領収書画像から金額の領域の文字列とスコアとを取得し、当該スコアが予め決められた条件を満たすほど低いと判断した場合に、領収書の金額の加工があった、と判断する。なお、画像検査手段１３１１は、例えば、領収書画像の全文字を文字認識技術により取得し、当該文字の集合から文字「￥」を検出し、当該文字「￥」の横の数字列を支払金額情報として取得する。
（ｂ）機械学習処理を用いる場合
【０２３３】
画像検査手段１３１１は、例えば、手書きにより金額が偽装された１以上の領収書画像と偽装されていない１以上の領収書画像とを教師データとして、機械学習のアルゴリズムにより、学習処理を行い、領収書画像を入力として金額が偽装されたか否かの検査結果を取得する学習器を構成する。
【０２３４】
次に、画像検査手段１３１１は、例えば、経費受付部１２１が受け付けた領収書画像と学習器とを用いて、機械学習のアルゴリズムにより予測処理を行い、領収書画像に記載されている金額が、手書きにより偽装されたか否かを示す画像検査結果を取得する。
（１５−３）税区分の不適切性等の検査
【０２３５】
画像検査手段１３１１は、領収書画像から２以上の文字列を取得する。次に、画像検査手段１３１１は、２以上の文字列が、予め決められた不正パターンに合致するか否かを判断する。不正パターンに合致する場合に、画像検査手段１３１１は、不正である旨の検査結果を取得する。
【０２３６】
不正パターンは、例えば、クラス「摘要」に対応する文字列の中に文字列「手土産」を含み、かつクラス「税区分」に対応する文字列の中に「１０％」を含むことである。かかる不正パターンは、税区分の不正である。画像検査手段１３１１は、例えば、画像検査手段１３１１は、取得した文字列を用いて、クラス「摘要」に対応する文字列の中に「手土産」を含み、かつクラス「税区分」に対応する文字列の中に「１０％」を含むと判断した場合、「税区分の不正」である旨の画像検査結果を取得する。
（１５−４）宛名の不備の検査
【０２３７】
画像検査手段１３１１は、領収書画像から１以上の文字列を、クラスに対応付けて取得する。
【０２３８】
次に、画像検査手段１３１１は、クラス「宛名」に対応する文字列が、格納部１１に格納されている社名に合致しないと判断した場合、領収書の宛名の不備である旨の画像検査結果を取得する。また、例えば、画像検査手段１３１１は、取得した文字列を用いて、クラス「宛名」に対応する文字列が、格納部１１に格納されている「上様」等の不適切な文字列であると判断した場合、領収書の宛名の不備である旨の画像検査結果を取得する。
（１５−５）領収書へのサインの有無の検査
【０２３９】
画像検査手段１３１１は、例えば、サインが有る１以上の領収書を正例とし、サインが無い１以上の領収書を負例とする教師データを用いて、機械学習のアルゴリズムにより、学習器を構成する。そして、画像検査手段１３１１は、受け付けられた領収書画像と学習器とを用いて、予測処理を行い、サインの有無を示す情報を取得する。そして、画像検査手段１３１１は、サインが無い、と判断した場合、領収書へのサインが無いことの不備を示す画像検査結果を取得する。
（１５−６）領収書画像の不鮮明さの検査
（ａ）文字認識処理を用いる場合（第一不鮮明処理）
【０２４０】
画像検査手段１３１１は、文字認識技術を用いて、経費受付部１２１が受け付けた領収書画像から１以上の文字列とともに、文字認識のスコアを取得し、スコアが予め決められた条件を満たすほど低い場合に、領収書画像が不鮮明であると判断する第一不鮮明処理を行う。なお、文字認識を行い、文字列を取得し、かつ文字認識のスコア（尤度と言っても良い）を出力する技術は公知技術である。
（ｂ）機械学習処理を用いる場合（第二不鮮明処理）
【０２４１】
画像検査手段１３１１は、不鮮明な１以上の領収書画像と鮮明な１以上の領収書画像とを機械学習のアルゴリズムにより、学習処理を行い、学習器を構成する。なお、かかる学習器は、領収書画像を入力として領収書画像が不鮮明であるか鮮明であるかの判断結果を取得する学習器である。
【０２４２】
次に、画像検査手段１３１１は、経費受付部１２１が受け付けた領収書画像と学習器とを用いて、機械学習のアルゴリズムにより予測処理を行い、領収書画像が不鮮明であるか鮮明であるかの検査結果を取得する。
（１５−７）決済手段の検査
【０２４３】
画像検査手段１３１１は、領収書画像から文字列である決済手段情報（例えば、「○○ＰＡＹ」）を取得し、決済手段情報が、会社規定情報が有する決済手段情報であるか否かを検査し、画像検査結果を取得する。なお、会社規定情報は、会社規定情報格納部１１３に存在する。
（１５−８）手書き領収書への角印有無の検査
（ａ）機械学習処理を用いる場合
【０２４４】
画像検査手段１３１１は、例えば、手書きであり、角印が押された１以上の領収書画像を正例とし、角印が押されてない１以上の領収書画像を負例として、機械学習のアルゴリズムにより、学習処理を行い、学習器を構成する。なお、かかる学習器は、領収書画像を入力とし、角印が押されているか否かを出力とする学習器である。
【０２４５】
次に、画像検査手段１３１１は、受け付けた領収書画像と学習器とを用いて、機械学習のアルゴリズムにより予測処理を行い、角印が押されているか否かを示す画像検査結果を取得する。
（ｂ）画像認識処理を用いる場合
【０２４６】
画像検査手段１３１１は、受け付けられた領収書画像に対して文字認識処理を行い、手書き文字が存在するか否か（例えば、スコアが閾値以下または閾値未満であるか否か）を判断する。手書き文字が存在すると判断した場合、画像検査手段１３１１は、例えば、画像認識により、画素値が赤の領域の画素値であり、概ね矩形形状の輪郭を有する角印が存在するか否かを判断する。角印が存在しないと判断した場合、画像検査手段１３１１は、角印が押されていない旨の画像検査結果を取得する。
（１５−９）タイムスタンプの検査
【０２４７】
画像検査手段１３１１は、受け付けられた領収書画像が有するタイムスタンプが示す日情報を取得する。なお、日情報は、領収書画像にタイムスタンプが付加された日を示す情報である。
【０２４８】
次に、画像検査手段１３１１は、受け付けられた領収書画像に対応する領収書発行日を取得する。
【０２４９】
次に、画像検査手段１３１１は、取得した日情報が示す日が、領収書発行日に対して、予め決められた以上の期間が経過しているか否かを判断し、画像検査結果を取得する。予め決められた以上の期間は、例えば、「３日以上」、または「４日以上」である。
【０２５０】
なお、画像検査手段１３１１は、通常、領収書画像から領収書発行日を取得するが、経費受付部１２１が受け付けた経費情報に含まれる文字列である領収書発行日を取得しても良い。また、領収書画像にタイムスタンプを付加する技術、領収書画像が有するタイムスタンプを取得する技術は公知技術である。
【０２５１】
格納部１１、経費情報格納部１１１、申請者集合格納部１１２、会社規定情報格納部１１３、飲食店集合格納部１１４、風俗店集合格納部１１５、相手先集合格納部１１６、カード利用経費格納部１１７、移動手段情報格納部１１８、個人情報格納部１１２１、勤怠情報格納部１１２２、入退館情報格納部１１２３、営業活動情報格納部１１２４、カード明細情報格納部１１２５、営業車位置情報格納部１１２６、算出情報格納部１１８１、地図情報格納部１１８２、および第一格納部２１は、不揮発性の記録媒体が好適であるが、揮発性の記録媒体でも実現可能である。
【０２５２】
格納部１１等に情報が記憶される過程は問わない。例えば、記録媒体を介して情報が格納部１１等で記憶されるようになってもよく、通信回線等を介して送信された情報が格納部１１等で記憶されるようになってもよく、あるいは、入力デバイスを介して入力された情報が格納部１１等で記憶されるようになってもよい。
【０２５３】
受付部１２、経費受付部１２１、および第一受信部２５は、通常、無線または有線の通信手段で実現されるが、放送を受信する手段で実現されても良い。
【０２５４】
処理部１３、検査部１３１、統計処理部１３２、画像検査手段１３１１、および第一処理部２３は、通常、プロセッサやメモリ等から実現され得る。処理部１３の処理手順は、通常、ソフトウェアで実現され、当該ソフトウェアはＲＯＭ等の記録媒体に記録されている。但し、ハードウェア（専用回路）で実現しても良い。プロセッサは、ＭＰＵ、ＣＰＵ、ＧＰＵ等、その種類は問わない。
【０２５５】
出力部１４、結果出力部１４１、および第一送信部２４は、通常、無線または有線の通信手段で実現されるが、放送手段で実現されても良い。
【０２５６】
第一受付部２２は、タッチパネルやキーボード等の入力手段のデバイスドライバーや、メニュー画面の制御ソフトウェア等で実現され得る。
【０２５７】
第一出力部２６は、ディスプレイやスピーカー等の出力デバイスを含むと考えても含まないと考えても良い。第一出力部２６は、出力デバイスのドライバーソフトまたは、出力デバイスのドライバーソフトと出力デバイス等で実現され得る。
を備える。
【０２５８】
次に、経費検査装置１の動作例について、図４のフローチャートを用いて説明する。
【０２５９】
（ステップＳ４０１）経費受付部１２１は、申請書識別子に対応付いた経費情報を申請者端末２から受信したか否かを判断する。経費情報を受信した場合はステップＳ４０２に行き、経費情報を受信しなかった場合はステップＳ４０６に行く。
【０２６０】
（ステップＳ４０２）処理部１３は、ステップＳ４０１で受信された経費情報に対する検査処理を行う。検査処理とは、経費申請の不正の検査の処理である。検査処理の例について、図５のフローチャートを用いて説明する。
【０２６１】
（ステップＳ４０３）検査部１３１は、ステップＳ４０２において取得した検査結果が「正当」であるか否かを判断する。「正当」である場合はステップＳ４０４に行き、「正当」でない場合はステップＳ４０５に行く、
【０２６２】
（ステップＳ４０４）処理部１３または図示しない蓄積部は、ステップＳ４０１で受信された経費情報を、申請書識別子に対応付けて、経費情報格納部１１１に蓄積する。ステップＳ４０１に戻る。なお、ステップＳ４０４において、結果出力部１４１は、「正当」である旨の検査結果を、経費情報を送信した申請者端末２に送信しても良い。
【０２６３】
（ステップＳ４０５）結果出力部１４１は、ステップＳ４０２において取得された検査結果を、経費情報を送信した申請者端末２に送信する。ステップＳ４０１に戻る。なお、ステップＳ４０５で、検査部１３１は、経費情報に対応する申請者識別子に対応する不正回数を、１インクリメントしても良い。また、ステップＳ４０５で、処理部１３または図示しない蓄積部は、ステップＳ４０１で受信された経費情報を、申請書識別子に対応付けて、経費情報格納部１１１に蓄積しても良い。
【０２６４】
（ステップＳ４０６）処理部１３は、統計検査を行うタイミングであるか否かを判断する。統計検査を行うタイミングであればステップＳ４０７に行き、統計検査を行うタイミングでなければステップＳ４１４に行く。
【０２６５】
なお、処理部１３は、図示しない時計から時刻を取得し、当該時刻が予め決められた時刻以降であれば、統計検査を行うタイミングであると判断する。また、処理部１３は、統計検査の指示が受信された場合に、統計検査を行うタイミングであると判断する。また、統計検査とは、経費情報の統計処理結果を用いた不正の検査である。統計検査は、例えば、定期的に（例えば、１ヶ月に一度）行われることは好適である。
【０２６６】
（ステップＳ４０７）処理部１３は、カウンタｉに１を代入する。
【０２６７】
（ステップＳ４０８）処理部１３は、経費情報格納部１１１にｉ番目の申請者識別子が存在するか否かを判断する。ｉ番目の申請者識別子が存在する場合はステップＳ４０９に行き、ｉ番目の申請者識別子が存在しない場合はステップＳ４１２に行く。ｉ番目の申請者識別子が存在するか否かは、検査対象のｉ番目の申請者が存在するか否かである。
【０２６８】
（ステップＳ４０９）処理部１３は、ｉ番目の申請者識別子に対応する経費情報に対して、統計処理を行い、統計処理結果を用いて、経費申請の不正に関する検査を行う。かかる統計検査処理の例について、図６のフローチャートを用いて説明する。
【０２６９】
（ステップＳ４１０）処理部１３は、ステップＳ４０９で取得した検査結果を、ｉ番目の申請者識別子に対応付けて、出力する。処理部１３は、例えば、ｉ番目の申請者識別子に対応付けて、検査結果を格納部１１に蓄積する。また、処理部１３は、例えば、ｉ番目の申請者識別子に対応付けられた検査結果を、図示しない端末に送信する。
【０２７０】
（ステップＳ４１１）処理部１３は、カウンタｉを、１インクリメントする。ステップＳ４０８に戻る。
【０２７１】
（ステップＳ４１２）統計処理部１３２は、出力する統計処理結果を構成する。
【０２７２】
（ステップＳ４１３）結果出力部１４１は、ステップＳ４１２で構成された統計処理結果を出力する。ステップＳ４０１に戻る。なお、統計処理結果の出力とは、例えば、統計処理結果を格納部１１に蓄積すること、統計処理結果を図示しない端末に送信することである。
【０２７３】
（ステップＳ４１４）処理部１３は、申告漏れ検査を行うタイミングであるか否かを判断する。申告漏れ検査を行うタイミングであればステップＳ４１５に行き、申告漏れ検査を行うタイミングでなければステップＳ４０１に戻る。
【０２７４】
なお、処理部１３は、図示しない時計から時刻を取得し、当該時刻が予め決められた時刻以降であれば、申告漏れ検査を行うタイミングであると判断する。また、処理部１３は、申告漏れ検査の指示が受信された場合に、申告漏れ検査を行うタイミングであると判断する。また、申告漏れ検査とは、経費申請の漏れの検査である。申告漏れ検査は、例えば、定期的に（例えば、１ヶ月に一度）行われることは好適である。
【０２７５】
（ステップＳ４１５）処理部１３は、経費申請の漏れ検査を行う。漏れ検査の処理例について、図７のフローチャートを用いて説明する。
【０２７６】
（ステップＳ４１６）結果出力部１４１は、ステップＳ４１５で取得された漏れ検査の検査結果を出力する。ステップＳ４０１に戻る。ここでの検査結果の出力とは、例えば、検査結果の格納部１１への蓄積、漏れに対応する申請者識別子で識別される申請者への送信、図示しない端末への送信等である。
【０２７７】
なお、図４のフローチャートにおいて、電源オフや処理終了の割り込みにより処理は終了する。
【０２７８】
次に、ステップＳ４０２の検査処理の例について、図５のフローチャートを用いて説明する。
【０２７９】
（ステップＳ５０１）検査部１３１は、受信された経費情報の中に、領収書画像が含まれるか否かを判断する。領収書画像が含まれる場合はステップＳ５０２に行き、領収書画像が含まれない場合はステップＳ５０５に行く。
【０２８０】
（ステップＳ５０２）画像検査手段１３１１は、領収書画像から文字列とクラスとの組を、１または２組以上取得する。なお、かかる処理は、上述したので、ここでの詳細な説明は省略する。
【０２８１】
（ステップＳ５０３）画像検査手段１３１１は、領収書画像検査を行い、検査結果を取得する。
【０２８２】
領収書画像検査は、例えば、上述した（１５−１）〜（１５−９）のうちの１以上の検査である。
【０２８３】
（ステップＳ５０４）検査部１３１は、共通検査を行い、検査結果を取得する。共通検査とは、経費情報の経費種類識別子（科目でも良い）に依存しない検査である。
【０２８４】
共通検査は、例えば、（１−１）（２−１）の出勤日以外の経費の検査、（４−１）領収書分割の検査、（５−１）営業車の不正な使用の検査、（６）カード利用経費情報を用いた検査、（１０）相手先情報を用いた検査、（１１−１）二重申請の検査、（１１−２）領収書の使い回しの検査、（１１−３）同日の経費申請の数が多いことの検査、（１３）経費申請の承認者の不正の検知である。
【０２８５】
（ステップＳ５０５）検査部１３１は、受信された経費情報から経費種類識別子を取得する。
【０２８６】
（ステップＳ５０６）検査部１３１は、ステップＳ５０５で取得した経費種類識別子が「交通費（旅費交通費でも良い）」であるか否かを判断する。「交通費」である場合はステップＳ５０７に行き、「交通費」でない場合はステップＳ５０８に行く。
【０２８７】
（ステップＳ５０７）検査部１３１は、交際費検査処理を行い、検査結果を取得する。ステップＳ５１４に行く。
【０２８８】
交通費検査処理とは、交通費特有の検査のための処理である。交通費検査処理は、例えば、上述した（３−１）交通費の不正の検査（ｉ）、（３−２）交通費の不正の検査（ｉｉ）、（４−２）社内飲み会後のタクシー利用の検査、（８−１）電車、バス、または飛行機の交通費の不正の検査、（８−２）タクシー料金の不正の検査、（８−３）定期区間との重複の検査である。
【０２８９】
（ステップＳ５０８）検査部１３１は、ステップＳ５０５で取得した経費種類識別子が「交際費（接待交費でも良い）」であるか否かを判断する。「交際費」である場合はステップＳ５０９に行き、「交際費」でない場合はステップＳ５１０に行く。
【０２９０】
（ステップＳ５０９）検査部１３１は、交際費検査処理を行い、検査結果を取得する。ステップＳ５１４に行く。
【０２９１】
交際費検査処理とは、交際費特有の検査のための処理である。交際費検査処理は、例えば、（９−１）店舗不正の検査（風俗店等の利用）、（９−２）金額不正の検査、（９−３）交際費は飲食店を利用しているか否かの検査、（１０）相手先情報を用いた検査、（１１−４）二次会支出による不正の検査である。
【０２９２】
（ステップＳ５１０）検査部１３１は、ステップＳ５０５で取得した経費種類識別子が「宿泊費」であるか否かを判断する。「宿泊費」である場合はステップＳ５１１に行き、「宿泊費」でない場合はステップＳ５１２に行く。
【０２９３】
（ステップＳ５１１）検査部１３１は、宿泊費検査処理を行い、検査結果を取得する。ステップＳ５１４に行く。
【０２９４】
宿泊費検査処理とは、宿泊費特有の検査のための処理である。宿泊費検査処理は、例えば、（１−３）宿泊費の不正の検査、（２−３）宿泊費の不正の検査である。
【０２９５】
（ステップＳ５１２）検査部１３１は、ステップＳ５０５で取得した経費種類識別子が「出張費」であるか否かを判断する。「出張費」である場合はステップＳ５１３に行き、「出張費」でない場合はステップＳ５１２に行く。
【０２９６】
（ステップＳ５１３）検査部１３１は、出張費検査処理を行い、検査結果を取得する。ステップＳ５１４に行く。
【０２９７】
出張費検査処理とは、出張費特有の検査のための処理である。出張費検査処理は、例えば、（１−２）出張費の不正の検査 、（２−２）出張費の不正の検査である。
【０２９８】
（ステップＳ５１４）検査部１３１は、取得された検査結果を用いて、出力される検査結果を構成する。上位処理にリターンする。
【０２９９】
例えば、１以上の不正の検査結果が得られている場合、検査部１３１は、不正であった場合のすべての検査結果を含む検査結果を構成する。また、不正の検査結果が得られていない場合、検査部１３１は、「正当」である旨の検査結果を構成する。
【０３００】
次に、ステップＳ４０９の統計検査処理の例について、図６のフローチャートを用いて説明する。
【０３０１】
（ステップＳ６０１）統計処理部１３２は、カウンタｉに１を代入する。
【０３０２】
（ステップＳ６０２）統計処理部１３２は、検査対象の申請者識別子（ステップＳ４０８のｉ番目の申請者識別子）に対応する１または２以上の経費情報であり、経費情報格納部１１１の１以上の経費情報の中の店舗識別子において、ｉ番目の店舗識別子が存在するか否かを判断する。ｉ番目の店舗識別子が存在する場合はステップＳ６０３に行き、ｉ番目の店舗識別子が存在しない場合はステップＳ６０７に行く。
【０３０３】
なお、ｉ番目の店舗識別子とは、検査対象の申請者識別子に対応する１または２以上の経費情報の中の店舗識別子をユニーク処理した中での、ｉ番目の店舗識別子である。また、検査対象の経費情報の期間は、予め決められていても良いし、すべての期間でも良い。
【０３０４】
（ステップＳ６０３）統計処理部１３２は、検査対象の申請者識別子に対応し、ｉ番目の店舗識別子が含まれる経費情報の数を取得する。統計処理部１３２は、当該数を用いて、店舗頻度情報を取得する。なお、店舗頻度情報は、数と同じ値でも良いし、数を期間で割った値等でも良い。店舗頻度情報は、通常、当該数をパラメータとする増加関数により算出される値である。
【０３０５】
（ステップＳ６０４）検査部１３１は、ステップＳ６０３で取得された店舗頻度情報が、予め決められた店舗頻度条件を満たすほど大きいか否かを判断する。店舗頻度条件を満たす場合はステップＳ６０５に行き、店舗頻度条件を満たさない場合はステップＳ６０６に行く。
【０３０６】
（ステップＳ６０５）検査部１３１は、「一の店舗を使用しすぎている」旨の検査結果、およびｉ番目の店舗識別子を有する検査結果を、検査対象の申請者識別子に対応付けて取得する。なお、検査部１３１は、検査対象の申請者識別子に対応する不正回数を、１インクリメントしても良い。
【０３０７】
（ステップＳ６０６）統計処理部１３２は、カウンタｉ、インクリメントする。ステップＳ６０２に戻る。
【０３０８】
（ステップＳ６０７）統計処理部１３２は、カウンタｉに１を代入する。
【０３０９】
（ステップＳ６０８）統計処理部１３２は、検査対象の申請者識別子に対応する１または２以上の経費情報であり、経費情報格納部１１１の１以上の経費情報の中の店舗識別子において、ｉ番目の相手先識別子が存在するか否かを判断する。ｉ番目の相手先識別子が存在する場合はステップＳ６０９に行き、ｉ番目の相手先識別子が存在しない場合はステップＳ６１３に行く。
【０３１０】
なお、ｉ番目の相手先識別子とは、検査対象の申請者識別子に対応する１または２以上の経費情報の中の相手先識別子をユニーク処理した中での、ｉ番目の相手先識別子である。また、検査対象の経費情報の期間は、予め決められていても良いし、すべての期間でも良い。
【０３１１】
（ステップＳ６０９）統計処理部１３２は、検査対象の申請者識別子に対応し、ｉ番目の相手先識別子が含まれる経費情報の数を取得する。統計処理部１３２は、当該数を用いて、相手先頻度情報を取得する。なお、相手先頻度情報は、数と同じ値でも良いし、数を期間で割った値等でも良い。相手先頻度情報は、通常、当該数をパラメータとする増加関数により算出される値である。
【０３１２】
（ステップＳ６１０）検査部１３１は、ステップＳ６０３で取得された相手先頻度情報が、予め決められた相手先頻度条件を満たすほど大きいか否かを判断する。相手先頻度条件を満たす場合はステップＳ６１１に行き、相手先頻度条件を満たさない場合はステップＳ６１２に行く。
【０３１３】
（ステップＳ６１１）検査部１３１は、「一の相手先の接待等の回数が多すぎる」旨の検査結果、およびｉ番目の相手先識別子を有する検査結果を、検査対象の申請者識別子に対応付けて取得する。なお、検査部１３１は、検査対象の申請者識別子に対応する不正回数を、１インクリメントしても良い。
【０３１４】
（ステップＳ６１２）統計処理部１３２は、カウンタｉ、インクリメントする。ステップＳ６０８に戻る。
【０３１５】
（ステップＳ６１３）検査部１３１は、検査対象の申請者識別子に対応する不正回数を、個人情報格納部１１２１から取得する。
【０３１６】
（ステップＳ６１４）検査部１３１は、ステップＳ６１３で取得した不正回数が、不正回数条件を満たすか否かを判断する。不正回数条件を満たす場合はステップＳ６１５に行き、不正回数条件を満たさない場合はステップＳ６１６に行く。
【０３１７】
（ステップＳ６１５）検査部１３１は、「申請者の不正回数は多い」旨の検査結果を、検査対象の申請者識別子に対応付けて取得する。なお、検査結果は、不正回数の多い申請者識別子だけでも良い。
【０３１８】
（ステップＳ６１６）検査部１３１は、統計検査の結果、不正の検査結果を取得できたか否かを判断する。検査結果を取得した場合は上位処理にリターンし、検査結果を取得しなかった場合はステップＳ６１７に行く。
【０３１９】
（ステップＳ６１７）検査部１３１は、変数「検査結果」に「正当」である旨を代入する。上位処理にリターンする。
【０３２０】
次に、ステップＳ４１５の漏れ検査の処理例について、図７のフローチャートを用いて説明する。
【０３２１】
（ステップＳ７０１）検査部１３１は、カウンタｉに１を代入する。カウンタｉは、検査対象の申請者のカウンタである。
【０３２２】
（ステップＳ７０２）検査部１３１は、ｉ番目の申請者識別子が格納部１１に存在するか否かを判断する。ｉ番目の申請者識別子が存在する場合はステップＳ７０３に行き、ｉ番目の申請者識別子が存在しない場合は上位処理にリターンする。ｉ番目の申請者識別子は、検査対象のｉ番目の申請者の識別子である。
【０３２３】
（ステップＳ７０３）検査部１３１は、カウンタｊに１を代入する。カウンタｊは、検査対象の日のカウンタである。
【０３２４】
（ステップＳ７０４）検査部１３１は、検査対象のｊ番目の日を示す日情報が存在するか否かを判断する。ｊ番目の日を示す日情報が存在する場合はステップＳ７０５に行き、存在しない場合はステップＳ７２２に行く。なお、漏れ検査する日は、予め決められており、漏れ検査する日を特定する情報は、図示しないバッファに格納されている、とする。
【０３２５】
（ステップＳ７０５）検査部１３１は、ｉ番目の申請者識別子に対応し、ｊ番目の日を示す日情報と同一の勤務日情報を有する勤怠情報が勤怠情報格納部１１２２に存在するか否かを判断する。存在する場合はステップＳ７０６に行き、存在しない場合はステップＳ７０９に行く。
【０３２６】
（ステップＳ７０６）検査部１３１は、ｉ番目の申請者識別子に対応し、ｊ番目の日を示す日情報と同一の勤務日情報を有する勤怠情報を勤怠情報格納部１１２２から取得する。検査部１３１は、取得した勤怠情報を用いて、経費申請の漏れの検査を行う。かかる検査は、例えば、「（１４−１）勤怠情報を用いた申請漏れの検知」において説明した処理である。
【０３２７】
（ステップＳ７０７）検査部１３１は、ステップＳ７０６における検査の結果、漏れがあったか否かを判断する。漏れがあった場合はステップＳ７０８に行き、無かった場合はステップＳ７０９に行く。
【０３２８】
（ステップＳ７０８）検査部１３１は、漏れがあった旨および漏れの内容を示す検査結果を、ｉ番目の申請者識別子およびｊ番目の日情報に対応付けて、取得する。
【０３２９】
（ステップＳ７０９）検査部１３１は、ｉ番目の申請者識別子に対応し、ｊ番目の日を示す日情報と同一の勤務日情報を有する入退館情報が入退館情報格納部１１２３に存在するか否かを判断する。存在する場合はステップＳ７１０に行き、存在しない場合はステップＳ７１３に行く。
【０３３０】
（ステップＳ７１０）検査部１３１は、ｉ番目の申請者識別子に対応し、ｊ番目の日を示す日情報と同一の勤務日情報を有する入退館情報を入退館情報格納部１１２３から取得する。検査部１３１は、取得した入退館情報を用いて、経費申請の漏れの検査を行う。かかる検査は、例えば、「（１４−２）入退館情報を用いた申請漏れの検知」において説明した処理である。
【０３３１】
（ステップＳ７１１）検査部１３１は、ステップＳ７１０における検査の結果、漏れがあったか否かを判断する。漏れがあった場合はステップＳ７１２に行き、無かった場合はステップＳ７１３に行く。
【０３３２】
（ステップＳ７１２）検査部１３１は、漏れがあった旨および漏れの内容を示す検査結果を、ｉ番目の申請者識別子およびｊ番目の日情報に対応付けて、取得する。
【０３３３】
（ステップＳ７１３）検査部１３１は、ｉ番目の申請者識別子に対応し、ｊ番目の日を示す日情報と同一の営業日情報を有する営業活動情報が営業活動情報格納部１１２４に存在するか否かを判断する。存在する場合はステップＳ７１４に行き、存在しない場合はステップＳ７１７に行く。
【０３３４】
（ステップＳ７１４）検査部１３１は、ｉ番目の申請者識別子に対応し、ｊ番目の日を示す日情報と同一の営業日情報を有する営業活動情報を営業活動情報格納部１１２４から取得する。検査部１３１は、取得した営業活動情報を用いて、経費申請の漏れの検査を行う。かかる検査は、例えば、「（１４−３）営業活動情報を用いた申請漏れの検知」において説明した処理である。
【０３３５】
（ステップＳ７１５）検査部１３１は、ステップＳ７１４における検査の結果、漏れがあったか否かを判断する。漏れがあった場合はステップＳ７１６に行き、無かった場合はステップＳ７１７に行く。
【０３３６】
（ステップＳ７１６）検査部１３１は、漏れがあった旨および漏れの内容を示す検査結果を、ｉ番目の申請者識別子およびｊ番目の日情報に対応付けて、取得する。
【０３３７】
（ステップＳ７１７）検査部１３１は、ｉ番目の申請者識別子に対応し、ｊ番目の日を示す日情報と同一の営業日情報を有する営業車位置情報が営業車位置情報格納部１１２６に存在するか否かを判断する。存在する場合はステップＳ７１８に行き、存在しない場合はステップＳ７２１に行く。
【０３３８】
（ステップＳ７１８）検査部１３１は、ｉ番目の申請者識別子に対応し、ｊ番目の日を示す日情報と同一の営業日情報を有する１以上の営業車位置情報を営業車位置情報格納部１１２６から取得する。検査部１３１は、取得した１以上の営業車位置情報を用いて、経費申請の漏れの検査を行う。かかる検査は、例えば、「（１４−４）営業車位置情報を用いた申請漏れの検知」において説明した処理である。
【０３３９】
（ステップＳ７１９）検査部１３１は、ステップＳ７１８における検査の結果、漏れがあったか否かを判断する。漏れがあった場合はステップＳ７２０に行き、無かった場合はステップＳ７２１に行く。
【０３４０】
（ステップＳ７２０）検査部１３１は、漏れがあった旨および漏れの内容を示す検査結果を、ｉ番目の申請者識別子およびｊ番目の日情報に対応付けて、取得する。
【０３４１】
（ステップＳ７２１）検査部１３１は、カウンタｊを１、インクリメントする。ステップＳ７０４に戻る。
【０３４２】
（ステップＳ７２２）検査部１３１は、ｉ番目の申請者識別子に対応する検査結果を構成する。なお、検査部１３１は、例えば、ｉ番目の申請者識別子に対応付けて、検査結果を一時蓄積する。検査結果は、例えば、１以上の漏れの検査の結果を有する。漏れが無かった場合、検査結果は、「漏れなし」を示す情報である。
【０３４３】
（ステップＳ７２３）検査部１３１は、カウンタｉを１、インクリメントする。ステップＳ７０２に戻る。
【０３４４】
次に、申請者端末２の動作例を説明する。申請者端末２の第一受付部２２は、ユーザから経費情報の入力を受け付ける。次に、第一処理部２３は、第一格納部２１に格納されている申請者識別子を読み出す。そして、第一処理部２３は、受け付けられた経費情報と読み出した申請者識別子とを有する送信情報を構成する。次に、第一送信部２４は、経費情報と申請者識別子とを有する送信情報を、経費検査装置１に送信する。
【０３４５】
次に、第一受信部２５は、経費検査装置１から検査結果を受信する。第一処理部２３は、受信した検査結果を出力する構造にする。第一出力部２６は、検査結果を出力する。
（統計処理結果の具体例）
【０３４６】
以下、本実施の形態における経費検査装置１の統計処理部１３２が取得し、結果出力部１４１が出力する統計処理結果の例について説明する。
【０３４７】
（具体例１）
統計処理部１３２は、経費情報格納部１１１の経費情報であり、一定期間（例えば、２０１９年１２月の１ヶ月）の各申請者の経費情報を、各申請者ごとに統計処理し、申請者識別子ごと、店舗識別子ごとの店舗頻度情報を取得した、とする。また、統計処理部１３２は、申請者識別子ごとの経費情報の数を取得した、とする。
【０３４８】
そして、統計処理部１３２は、店舗頻度情報を縦軸、申請者識別子ごとの経費情報の数を横軸とするグラフ上に、申請者識別子ごと、店舗識別子ごとの店舗頻度情報をプロットした統計処理結果を取得した、とする。
【０３４９】
また、統計処理部１３２は、格納部１１の店舗頻度条件「店舗頻度情報＞＝３」を満たす場合、リスクが高い、と判断した、とする。リスクが高いことは、不正であること、と言っても良い。そして、統計処理部１３２は、リスクが高いと判断した申請者の申請者識別子、利用して店舗の店舗識別子、および店舗頻度情報を取得する。
【０３５０】
そして、統計処理部１３２は、上記の処理の結果、出力される統計処理結果を構成する。
【０３５１】
次に、結果出力部１４１は、当該統計処理結果（８０１，８０２）を出力する。かかる出力例は、図８である。
【０３５２】
図８において、８０１は、店舗頻度情報をグラフ上にプロットした統計処理結果である。８０１の縦軸は、人別店舗別の最大件数（店舗頻度情報）である。また、８０１の横軸は、人別申請件数である。
【０３５３】
また、８０２は、リスクの高いと判断された店舗頻度情報に対応する申請者識別子（申請者）、店舗名、店舗頻度情報（件数）を有するレコードからなる表である。
【０３５４】
（具体例２）
具体例２は、出張中であるにも関わらず打刻がある場合の情報を取得する例である。
【０３５５】
統計処理部１３２は、例えば、申請者識別子ごとに、勤怠情報が出張であることを示す場合、または出張費または交通費の経費情報が申請されている場合に、当該勤怠情報が有する勤務日情報または経費情報が有する使用日情報に対応する日が、出張した日である、と判断する。
【０３５６】
次に、統計処理部１３２は、当該勤怠情報が有する勤務日情報または当該経費情報が有する使用日情報と、同一の勤務日情報を含む入退館情報であり、勤務開始時刻および勤務終了時刻が存在する（打刻がある）頻度（例えば、ある月の１ヶ月における回数）を取得する。かかる情報は、出張中に打刻がある頻度である。
【０３５７】
また、統計処理部１３２は、例えば、申請者識別子ごとに、１ヶ月の各勤怠情報が示す勤務時間と、勤怠情報が有する勤務日情報と同一の勤務日情報を含む入退館情報が示す勤務時間との差異の平均値を取得する。かかる情報は、勤怠情報と打刻とのずれである。
【０３５８】
そして、統計処理部１３２は、申請者識別子ごとに、出張中に打刻がある頻度を横軸、勤怠情報と打刻とのずれを縦軸とするグラフに、申請者識別子のドットをプロットしたグラフである統計処理結果を構成する。
【０３５９】
次に、結果出力部１４１は、当該統計処理結果を出力する。かかる出力例は、図９である。図９において、９０１の領域のドットに対応する申請者が、不正をしている可能性が高い申請者である。
【０３６０】
以上、本実施の形態によれば、外部情報または申請された経費情報以外の経費情報を用いることにより、不適切な経費申請に対して、検査が適切に行える。
【０３６１】
また、本実施の形態によれば、申請者情報を用いることにより、不適切な経費申請に対して、検査が適切に行える。
【０３６２】
また、本実施の形態によれば、申請者の勤怠情報を用いることにより、不適切な経費申請に対して、検査が適切に行える。
【０３６３】
また、本実施の形態によれば、申請者の入退館情報を用いることにより、不適切な経費申請に対して、検査が適切に行える。
【０３６４】
また、本実施の形態によれば、申請者の営業活動情報を用いることにより、不適切な経費申請に対して、検査が適切に行える。
【０３６５】
また、本実施の形態によれば、申請者のクレジットカード明細情報を用いることにより、不適切な経費申請に対して、検査が適切に行える。
【０３６６】
また、本実施の形態によれば、申請者の営業車位置情報を用いることにより、不適切な経費申請に対して、検査が適切に行える。
【０３６７】
また、本実施の形態によれば、申請者が所有するカードの情報を用いることにより、不適切な経費申請に対して、検査が適切に行える。
【０３６８】
また、本実施の形態によれば、会社規定情報を用いることにより、不適切な経費申請に対して、検査が適切に行える。
【０３６９】
また、本実施の形態によれば、移動手段情報を用いることにより、不適切な経費申請に対して、検査が適切に行える。
【０３７０】
また、本実施の形態によれば、店舗集合を用いることにより、不適切な経費申請に対して、検査が適切に行える。
【０３７１】
また、本実施の形態によれば、不適切な相手に対する不適切な支出の検知が適切に行える。
【０３７２】
また、本実施の形態によれば、不適切な出張費、不適切な交通費、二重申請、領収書の使い回し、不正な宿泊費、不正な二次会の経費等の検知が適切に行える。
【０３７３】
また、本実施の形態によれば、２以上の経費情報に基づいた統計処理結果を用いることにより、不適切な経費申請に関する検査が適切に行える。
【０３７４】
また、本実施の形態によれば、特定店舗の使用頻度が高いことを検知できる。
【０３７５】
また、本実施の形態によれば、特定相手先に対応する支出の頻度が高いことを検知できる。
【０３７６】
また、本実施の形態によれば、特定の者の不正が多いことを検知できる。
【０３７７】
また、本実施の形態によれば、経費申請に対する承認者が要件を満たしていないことを検知できる。
【０３７８】
また、本実施の形態によれば、経費の申請漏れを検知できる。
【０３７９】
また、本実施の形態によれば、領収書画像の適切な検査が行える。
【０３８０】
また、本実施の形態によれば、領収書画像の記載事項の適切な検査が行える。
【０３８１】
また、本実施の形態によれば、領収書画像のタイムスタンプの不備の検査が行える。
【０３８２】
また、本実施の形態によれば、不鮮明な領収書画像の検査が行える。
【０３８３】
また、本実施の形態によれば、不適切な決済手段の検査が行える。
【０３８４】
さらに、本実施の形態によれば、手書きによる金額の偽装の検査が行える。
【０３８５】
なお、本実施の形態における経費検査装置１は、外部の１または２以上の各経費管理装置４から、経費情報を受信し、当該経費情報の検査を行い、検査結果を経費管理装置に送信する装置として機能することは好適である。かかる場合、経費検査装置１は、例えば、図１０の構造を有する。つまり、かかる場合、経費検査装置１の申請者集合格納部１１２、会社規定情報格納部１１３、カード利用経費格納部１１７、個人情報格納部１１２１、勤怠情報格納部１１２２、入退館情報格納部１１２３、営業活動情報格納部１１２４、カード明細情報格納部１１２５、および営業車位置情報格納部１１２６は、例えば、組織識別子ごとに存在する。つまり、申請者集合、会社規定情報、カード利用経費情報、個人情報、勤怠情報、入退館情報、営業活動情報、カード明細情報、および営業車位置情報は、組織識別子に対応付けられている。
【０３８６】
また、経費検査装置１が経費管理装置４から受信する経費情報は、組織識別子に対応付けられている。そして、経費検査装置１が経費管理装置４から経費情報を受信した場合、検査部１３１は、当該経費情報に対応する組織識別子に対応付けられている申請者集合等を用いて、検査を行い、検査結果を取得する。そして、結果出力部１４１は、検査結果を経費管理装置４に送信する。なお、組織識別子とは、組織を識別する情報であり、例えば、会社名、会社ＩＤである。また、組織とは、例えば、会社、団体、部署である。
【０３８７】
また、申請者端末２から経費情報を受信した経費管理装置４は、その経費情報の検査を行うために、当該経費情報を経費検査装置１に送信する。そして、当該経費情報の送信に応じて、経費検査装置１から検査結果を受信する。そして、経費管理装置４は、当該検査結果が正当である場合のみ、当該経費情報を蓄積する。また、経費管理装置４は、当該検査結果が不正である場合には、検査結果を申請者端末２に送信する。
【０３８８】
以上の、経費検査装置１と１または２以上の経費管理装置４を有するシステム構成により、経費検査装置１は、経費情報検査サーバとしての機能を発揮できる。また、経費管理装置４は、従来の経費情報の管理機能に加えて、経費検査装置１を使用することによる、経費検査機能を得ることができる。
【０３８９】
また、経費検査装置１は、１または２以上の各経費管理装置４から、２以上の経費情報を受信したり、組織ごとの経費情報格納部１１１を含むことにより、上述した統計処理も可能となる。
【０３９０】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における経費検査装置を実現するソフトウェアは、以下のようなプログラムである。つまり、このプログラムは、コンピュータを、経費の申請の内容を特定する経費情報を受け付ける経費受付部と、経費情報以外の外部情報、または前記経費受付部が受け付けた前記経費情報以外の経費情報を用いて、前記経費受付部が受け付けた前記経費情報の不正に関する検査を行い、検査結果を取得する検査部と、前記検査部が取得した前記検査結果を出力する結果出力部として機能させるためのプログラムである。
【０３９１】
また、図１１は、本明細書で述べたプログラムを実行して、上述した種々の実施の形態の経費検査装置１等を実現するコンピュータの外観を示す。上述の実施の形態は、コンピュータハードウェア及びその上で実行されるコンピュータプログラムで実現され得る。図１１は、このコンピュータシステム３００の概観図であり、図１２は、システム３００のブロック図である。
【０３９２】
図１１において、コンピュータシステム３００は、ＣＤ−ＲＯＭドライブを含むコンピュータ３０１と、キーボード３０２と、マウス３０３と、モニタ３０４とを含む。
【０３９３】
図１２において、コンピュータ３０１は、ＣＤ−ＲＯＭドライブ３０１２に加えて、ＭＰＵ３０１３と、ＣＤ−ＲＯＭドライブ３０１２等に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０３９４】
コンピュータシステム３００に、上述した実施の形態の経費検査装置１等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０３９５】
プログラムは、コンピュータ３０１に、上述した実施の形態の経費検査装置１等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０３９６】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０３９７】
また、上記プログラムを実行するコンピュータは、単数であってもよく、複数であってもよい。すなわち、集中処理を行ってもよく、あるいは分散処理を行ってもよい。つまり、経費検査装置１は、スタンドアロンの装置であっても良く、２以上の装置から構成されても良い。
【０３９８】
また、上記各実施の形態において、一の装置に存在する２以上の通信手段は、物理的に一の媒体で実現されても良いことは言うまでもない。
【０３９９】
また、上記各実施の形態において、各処理は、単一の装置によって集中処理されることによって実現されてもよく、あるいは、複数の装置によって分散処理されることによって実現されてもよい。
【０４００】
本発明は、以上の実施の形態に限定されることなく、種々の変更が可能であり、それらも本発明の範囲内に包含されるものであることは言うまでもない。
【産業上の利用可能性】
【０４０１】
以上のように、本発明にかかる経費検査装置は、不適切な経費申請に対して、検査が適切に行えるという効果を有し、経費検査装置等として有用である。
【符号の説明】
【０４０２】
１  経費検査装置
２  申請者端末
３  外部サーバ
４  経費管理装置
１１  格納部
１２  受付部
１３  処理部
１４  出力部
２１  第一格納部
２２  第一受付部
２３  第一処理部
２４  第一送信部
２５  第一受信部
２６  第一出力部
１１１  経費情報格納部
１１２  申請者集合格納部
１１３  会社規定情報格納部
１１４  飲食店集合格納部
１１５  風俗店集合格納部
１１６  相手先集合格納部
１１７  カード利用経費格納部
１１８  移動手段情報格納部
１２１  経費受付部
１３１  検査部
１３２  統計処理部
１４１  結果出力部
１１２１  個人情報格納部
１１２２  勤怠情報格納部
１１２３  入退館情報格納部
１１２４  営業活動情報格納部
１１２５  カード明細情報格納部
１１２６  営業車位置情報格納部
１１８１  算出情報格納部
１１８２  地図情報格納部
１３１１  画像検査手段
【要約】
【課題】従来、不適切な経費申請に対して、検査が適切に行えなかった、という課題があった。
【解決手段】経費の申請の内容を特定する経費情報を受け付ける経費受付部１２１と、経費情報以外の外部情報、または経費受付部１２１が受け付けた経費情報以外の経費情報を用いて、経費受付部１２１が受け付けた経費情報の不正に関する検査を行い、検査結果を取得する検査部１３１と、検査部１３１が取得した検査結果を出力する結果出力部１４１とを具備する経費検査装置１により、不適切な経費申請に対して、検査が適切に行える。
【選択図】図３【図１】
0006780888.tif 000002
【図２】
0006780888.tif 000003
【図３】
0006780888.tif 000004
【図４】
0006780888.tif 000005
【図５】
0006780888.tif 000006
【図６】
0006780888.tif 000007
【図７】
0006780888.tif 000008
【図８】
0006780888.tif 000009
【図９】
0006780888.tif 000010
【図１０】
0006780888.tif 000011
【図１１】
0006780888.tif 000012
【図１２】
0006780888.tif 000013